(57)【特許請求の範囲】
【請求項１】
第１のチャンネルが割り付けられた第１の配信元から配信されてくるコンテンツを優先的に取得することが規定されている第１のコンテンツ取得手段と、
第２のチャンネルが割り付けられた第２の配信元から配信されてくるコンテンツを優先的に取得することが規定されている第２のコンテンツ取得手段と、
前記第１のコンテンツ取得手段または前記第２のコンテンツ取得手段により取得されたコンテンツを記録する記録手段と
を備える記録装置に対して、
第３のチャンネルが割り付けられた第３の配信元から配信されてくるコンテンツのうちの記録対象コンテンツの記録の予約を設定する情報処理装置であって、
前記第１のコンテンツ取得手段と前記第２のコンテンツ取得手段とのうちの、前記記録対象コンテンツの配信時間帯を含む所定の時間帯内において既に取得が予約されている前記第３のチャンネルの別のコンテンツの個数が最も多い方に、前記記録対象コンテンツを取得させ、その記録対象コンテンツを前記記録手段に記録させる、という予約内容で設定を行う予約設定手段
を備える情報処理装置。
【請求項２】
前記予約設定手段は、
前記所定の時間帯内における、前記第１のコンテンツ取得手段に対して既に取得が予約されている前記第３のチャンネルの別のコンテンツの第１の個数と、前記第２のコンテンツ取得手段に対して既に取得が予約されている前記第３のチャンネルの別のコンテンツの第２の個数とを比較する、という比較処理を行い、
前記比較処理の結果、前記第１の個数と前記第２の個数が同数である場合、前記所定の時間帯をこれまでよりも長時間となるように更新し、更新後の前記所定の時間帯内についての前記比較処理を再度行う、
というループ処理を、前記第１の個数と前記第２の個数が異なるようになるまで繰り返し実行し、
前記第１の個数と前記第２の個数が異なるようになったとき、その個数が多い方のコンテンツ取得手段に前記記録対象コンテンツを取得させ、その記録対象コンテンツを前記記録手段に記録させる、という予約内容で設定を行う
請求項１に記載の情報処理装置。
【請求項３】
前記予約設定手段は、さらに、前記ループ処理内において、更新後の前記所定の時間帯の時間長が、閾値としての所定の時間長を超えた場合、前記ループ処理を終了させ、前記第１のコンテンツ取得手段と前記第２のコンテンツ取得手段とのうちの何れか一方に前記記録対象コンテンツを取得させ、その記録対象コンテンツを前記記録手段に記録させる、という予約内容で設定を行う
請求項２に記載の情報処理装置。
【請求項４】
第１のチャンネルが割り付けられた第１の配信元から配信されてくるコンテンツを優先的に取得することが規定されている第１のコンテンツ取得手段と、
第２のチャンネルが割り付けられた第２の配信元から配信されてくるコンテンツを優先的に取得することが規定されている第２のコンテンツ取得手段と、
前記第１のコンテンツ取得手段または前記第２のコンテンツ取得手段により取得されたコンテンツを記録する記録手段と
を備える記録装置に対して、
第３のチャンネルが割り付けられた第３の配信元から配信されてくるコンテンツのうちの記録対象コンテンツの記録の予約を設定する情報処理装置の情報処理方法であって、
前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定を行う
ステップを含む情報処理方法。
【請求項５】
第１のチャンネルが割り付けられた第１の配信元から配信されてくるコンテンツを優先的に取得することが規定されている第１のコンテンツ取得手段と、
第２のチャンネルが割り付けられた第２の配信元から配信されてくるコンテンツを優先的に取得することが規定されている第２のコンテンツ取得手段と、
前記第１のコンテンツ取得手段または前記第２のコンテンツ取得手段により取得されたコンテンツを記録する記録手段と
を備える記録装置に対して、
第３のチャンネルが割り付けられた第３の配信元から配信されてくるコンテンツのうちの記録対象コンテンツの記録の予約を設定する制御を行うコンピュータに実行させるプログラムであって、
前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定を行う
ステップを含むプログラム。
【発明の詳細な説明】
【技術分野】
【０００１】
本発明は、情報処理装置および方法並びにプログラムに関し、特に、複数チューナでの録画を行う場合にチューナリソースをより一段と有効活用できるようになった、情報処理装置および方法並びにプログラムに関する。
【背景技術】
【０００２】
近年、放送番組（それを構成する映像信号と音声信号）の記録と再生が可能な記録再生装置、例えば、ハードディスクビデオレコーダ等の普及が著しい。さらに、放送番組の番組情報、例えば、いわゆるEPG（Electronic Program Guide）情報を利用して様々な処理を実行可能な記録再生装置も登場してきている（例えば、特許文献１乃至特許文献３参照）。
【０００３】
近年、このような録画再生装置の中には、複数のチューナを搭載しているものも登場してきている。かかる録画再生装置では、複数の放送局から同時間帯に放送される各放送番組を複数のチューナでそれぞれ受信させることで、複数の放送番組を同時録画できるようになっている。
【特許文献１】特開平９−９１９３号公報
【特許文献２】特開２００１−３１３８７８号公報
【特許文献３】特開２００１−８１２２号公報
【発明の開示】
【発明が解決しようとする課題】
【０００４】
しかしながら、複数の放送局から同時間帯に放送される各放送番組を、複数のチューナのうちの何れに受信させるのかを決定するための手法として、現状有効な手法が見受けられない。このため、従来、複数のチューナを搭載する録画再生装置では、それらのチューナリソースを有効活用できていないという問題点があった。
【０００５】
本発明は、このような状況に鑑みてなされたものであり、複数チューナでの録画を行う場合にチューナリソースをより一段と有効活用できるようにするものである。
【課題を解決するための手段】
【０００６】
本発明の一側面の情報処理装置は、次のような記録装置に対して記録対象コンテンツの記録の予約を設定する情報処理装置である。即ち、第１のチャンネルが割り付けられた第１の配信元から配信されてくるコンテンツを優先的に取得することが規定されている第１のコンテンツ取得手段と、第２のチャンネルが割り付けられた第２の配信元から配信されてくるコンテンツを優先的に取得することが規定されている第２のコンテンツ取得手段と、前記第１のコンテンツ取得手段または前記第２のコンテンツ取得手段により取得されたコンテンツを記録する記録手段とを備える記録装置に対して、第３のチャンネルが割り付けられた第３の配信元から配信されてくるコンテンツのうちの記録対象コンテンツの記録の予約を設定する情報処理装置が、本発明の一側面の情報処理装置である。かかる本発明の一側面の情報処理装置は、前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定を行う予約設定手段を備える。
【０００７】
前記予約設定手段は、前記所定の時間帯内における、前記第１のコンテンツ取得手段に対して既に取得が予約されている前記第３のチャンネルの別のコンテンツの第１の個数と、前記第２のコンテンツ取得手段に対して既に取得が予約されている前記第３のチャンネルの別のコンテンツの第２の個数とを比較する、という比較処理を行い、前記比較処理の結果、前記第１の個数と前記第２の個数が同数である場合、前記所定の時間帯をこれまでよりも長時間となるように更新し、更新後の前記所定の時間帯内についての前記比較処理を再度行う、というループ処理を、前記第１の個数と前記第２の個数が異なるようになるまで繰り返し実行し、前記第１の個数と前記第２の個数が異なるようになったとき、その個数が多い方のコンテンツ取得手段に前記記録対象コンテンツを取得させ、その記録対象コンテンツを前記記録手段に記録させる、という予約内容で設定を行う。
【０００８】
前記予約設定手段は、さらに、前記ループ処理内において、更新後の前記所定の時間帯の時間長が、閾値としての所定の時間長を超えた場合、前記ループ処理を終了させ、前記第１のコンテンツ取得手段と前記第２のコンテンツ取得手段とのうちの何れか一方に前記記録対象コンテンツを取得させ、その記録対象コンテンツを前記記録手段に記録させる、という予約内容で設定を行う。
【０００９】
本発明の一側面の情報処理方法／プログラムは、次のような記録装置に対して記録対象コンテンツの記録の予約を設定する情報処理装置の情報処理方法/そのような制御を行うコンピュータに実行させるプログラムである。即ち、第１のチャンネルが割り付けられた第１の配信元から配信されてくるコンテンツを優先的に取得することが規定されている第１のコンテンツ取得手段と、第２のチャンネルが割り付けられた第２の配信元から配信されてくるコンテンツを優先的に取得することが規定されている第２のコンテンツ取得手段と、前記第１のコンテンツ取得手段または前記第２のコンテンツ取得手段により取得されたコンテンツを記録する記録手段とを備える記録装置に対して、第３のチャンネルが割り付けられた第３の配信元から配信されてくるコンテンツのうちの記録対象コンテンツの記録の予約を設定する情報処理装置の情報処理方法/そのような制御を行うコンピュータに実行させるプログラムが、本発明の一側面の情報処理方法／プログラムである。かかる本発明の一側面の情報処理方法／プログラムは、前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定を行うステップを含む。
という予約内容で設定を行う。
【００１０】
本発明の一側面の情報処理装置および方法並びにプログラムにおいては、次のような記録装置に対して記録対象コンテンツの記録の予約が設定される。即ち、第１のチャンネルが割り付けられた第１の配信元から配信されてくるコンテンツを優先的に取得することが規定されている第１のコンテンツ取得手段と、第２のチャンネルが割り付けられた第２の配信元から配信されてくるコンテンツを優先的に取得することが規定されている第２のコンテンツ取得手段と、前記第１のコンテンツ取得手段または前記第２のコンテンツ取得手段により取得されたコンテンツを記録する記録手段とを備える記録装置に対して、第３のチャンネルが割り付けられた第３の配信元から配信されてくるコンテンツのうちの記録対象コンテンツの記録の予約が設定される。詳細には、前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定が行われる。
【発明の効果】
【００１１】
以上のごとく、本発明によれば、複数チューナでの録画を行うための予約設定（録画予約投入等）ができる。特に、チューナリソースをより一段と有効活用できるような予約設定（録画予約投入等）ができる。
【発明を実施するための最良の形態】
【００１２】
以下に本発明の実施の形態を説明するが、本発明の構成要件と、発明を実施するための最良の形態との対応関係を例示すると、次のようになる。この記載は、本発明をサポートする実施の形態が、発明を実施するための最良の形態に記載されていることを確認するためのものである。従って、発明を実施するための最良の形態中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１３】
本発明の一側面の情報処理装置（例えば図１の録画再生装置１またはパーソナルコンピュータ２）は、
第１のチャンネルが割り付けられた第１の配信元から配信されてくるコンテンツを優先的に取得することが規定されている第１のコンテンツ取得手段（例えば、図１のチューナ部１１−１乃至１１−８のうちの所定の１つ。具体的には例えば、図９におけるチューナ部１１−３等）と、
第２のチャンネルが割り付けられた第２の配信元から配信されてくるコンテンツを優先的に取得することが規定されている第２のコンテンツ取得手段（例えば、図１のチューナ部１１−１乃至１１−８のうちの別の１つ。具体的には例えば、図９におけるチューナ部１１−４等）と、
前記第１のコンテンツ取得手段または前記第２のコンテンツ取得手段により取得されたコンテンツを記録する記録手段（例えば図１のＨＤＤ１３）と
を備える記録装置（例えば図１の録画再生装置１）に対して、
第３のチャンネルが割り付けられた第３の配信元から配信されてくるコンテンツのうちの記録対象コンテンツ（例えば図９の放送番組Pk11等）の記録の予約を設定する情報処理装置であって、
前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方（例えば所定の時間帯として図９の時間帯△Ｔ２が採用された場合には、４つの放送番組Pk1,Pk6,Pk7,Pk8の録画予約投入が行われているチューナ部１１−４）に、前記記録対象コンテンツを取得させ、その記録対象コンテンツを前記記録手段に記録させる、という予約内容で設定を行う予約設定手段（例えば図１の録画制御部１４または録画制御部３６）
を備える。
【００１４】
前記予約設定手段は、
前記所定の時間帯内における、前記第１のコンテンツ取得手段に対して既に取得が予約されている前記第３のチャンネルの別のコンテンツの第１の個数と、前記第２のコンテンツ取得手段に対して既に取得が予約されている前記第３のチャンネルの別のコンテンツの第２の個数とを比較する、という比較処理を行い、
前記比較処理の結果、前記第１の個数と前記第２の個数が同数である場合、前記所定の時間帯をこれまでよりも長時間となるように更新し、更新後の前記所定の時間帯内についての前記比較処理を再度行う、
というループ処理（例えば図２２のステップＳ４４，Ｓ４５（ＹＥＳ），Ｓ４７（ＹＥＳ），Ｓ４８のループ処理）を、前記第１の個数と前記第２の個数が異なるようになるまで繰り返し実行し（例えば、所定の時間帯として図９の時間帯△Ｔ１が最初に採用された場合には、チューナ部１１−３には３つの放送番組Pk2,Pk3,Pk4の録画予約投入が行われているので第１の個数は「３」となり、チューナ部１１−４には３つの放送番組Pk6,Pk7,Pk8の録画予約投入が行われているので第２の個数も「３」となる。従って、このような場合、図９の時間帯△Ｔ２に更新されて、比較処理が再度行われる）、
前記第１の個数と前記第２の個数が異なるようになったとき（上述したように、時間帯△Ｔ２が採用されたとき）、その個数が多い方（上述したようにチューナ部１１−４）のコンテンツ取得手段に前記記録対象コンテンツを取得させ、その記録対象コンテンツを前記記録手段に記録させる、という予約内容で設定を行う（例えば図２２のステップＳ４６、Ｓ５２）。
【００１５】
前記予約設定手段は、さらに、前記ループ処理内において、更新後の前記所定の時間帯の時間長が、閾値としての所定の時間長（例えば図２２のステップＳ４７でいうmax△Ｔ）を超えた場合、前記ループ処理を終了させ（例えば図２２のステップＳ４７  ＮＯ）、前記第１のコンテンツ取得手段と前記第２のコンテンツ取得手段とのうちの何れか一方に前記記録対象コンテンツを取得させ、その記録対象コンテンツを前記記録手段に記録させる、という予約内容で設定を行う（例えば図２２のステップＳ４９、Ｓ５２）。
【００１６】
本発明の一側面の情報処理方法/プログラムは、
上述した本発明の一側面の情報処理装置に対応する情報処理方法／プログラムであって、
前記第１のコンテンツ取得手段と前記第２のコンテンツ取得手段とのうちの、前記記録対象コンテンツの配信時間帯を含む所定の時間帯内において、既に取得が予約されている前記第３のチャンネルの別のコンテンツの個数が最も多い方に、前記記録対象コンテンツを取得させ、その記録対象コンテンツを前記記録手段に記録させる、という予約内容で設定を行う
ステップ（例えば図２２の優先Ch予約投入処理）を含む。
【００１７】
以下、図面を参照して、本発明の実施の形態について説明する。
【００１８】
図１は、本発明を適用した情報処理システムの機能的な構成例を示す機能ブロック図である。
【００１９】
図１の例の情報処理システムは、録画再生装置１に対して、パーソナルコンピュータ２、テレビジョン受像機５、およびアンテナ７等が接続されて構成されている。
【００２０】
また、録画再生装置１は、ネットワーク４を介してサービス提供サーバ３と接続し、サービス提供サーバ３から提供される各種サービスを享受することができる。同様に、パーソナルコンピュータ２も、ネットワーク４を介してサービス提供サーバ３と接続し、サービス提供サーバ３から提供される各種サービスを享受することができる。さらにまた、携帯端末８も、ネットワーク４を介してサービス提供サーバ３と接続し、サービス提供サーバ３から提供される各種サービスを享受することができる。
【００２１】
なお、サービス提供サーバ３が提供する各種サービスの例については後述する。
【００２２】
また、ネットワーク４の形態は特に限定されず、例えば、インターネット等が採用可能である。また、ネットワーク４は省略可能である。即ち、録画再生装置１、パーソナルコンピュータ２、および携帯端末８のそれぞれは、ネットワーク４を介在することなくサービス提供サーバ３と直接通信を行ってもよい。
【００２３】
録画再生装置１は、複数の放送局から同時間帯に放送される各放送番組（コンテンツの一例）のそれぞれを同時に受信できるように構成されている。具体的には例えば図１の例では、録画再生装置１は、８つの放送局のそれぞれから放送される８つの放送番組を同時に受信できるように、８つのチューナ部１１−１乃至１１−８、エンコード部１２、および、HDD（Hard Disk Drive）１３を設けている。
【００２４】
なお、以下、８つのチューナ部１１−１乃至１１−８のそれぞれを個々に区別する必要がない場合、それらをまとめてチューナ部１１と称する。
【００２５】
また、録画再生装置１に搭載されるチューナ部１１の個数は、図１の例では８つとされているが、実際には、図１の例に限定されず任意の個数でよい。
【００２６】
チューナ部１１は、アンテナ７に受信された地上波または衛星波のテレビジョン放送の放送電波を復調し、その結果得られる映像信号と音声信号をデジタル信号としてエンコード部１２に供給する。
【００２７】
即ち、例えば後述する録画制御部１４やパーソナルコンピュータ２の録画制御部３６により指定されたチャンネルの放送電波、より正確には、そのチャンネルが割り当てられた放送局から放送された放送番組を構成する電波がアンテナ７に受信されると、チューナ部１１は、それを復調して、その結果得られる映像信号と音声信号をデジタル信号の形態でエンコード部１２に供給する。
【００２８】
なお、このように、放送番組は放送局から放送されるものであるが、以下、説明の簡略上、（その放送局が割り当てられている）チャンネルから放送番組が放送されるといった表現で説明していく。例えば、「Ａチャンネルから放送された放送番組」等の表現で、以下、説明していく。
【００２９】
また、以下、チューナ部１１から出力されるデジタル信号、即ち、所定の放送番組を構成するデジタルの映像信号と音声信号とをまとめて、コンテンツデータと称する。
【００３０】
エンコード部１２は、所定の１つのチューナ部１１から供給されるコンテンツデータを、別のチューナ部１１から供給される別のコンテンツデータとは独立して、例えばMPEG（Moving Picture Experts Group）方式でエンコード（圧縮符号化）した上で、HDD１３に記憶させる。なお、以下、エンコード部１２から出力されるエンコード済みのコンテンツデータを、圧縮コンテンツデータと称する。
【００３１】
即ち、HDD１３には、圧縮コンテンツデータを含むファイルが記憶される。なお、以下、「HDD１３に圧縮コンテンツデータが記憶される」といった動作を、「（その圧縮コンテンツデータに対応する）放送番組が録画される」と表現する。換言すると、放送番組と、その放送番組を構成するコンテンツデータや圧縮コンテンツデータとを個々に区別する必要がない場合、以下、単に放送番組と称する。また、HDD１３等に録画された放送番組、即ち、HDD１３等に記憶された圧縮コンテンツデータを、以下、特に録画番組と称する。
【００３２】
また、HDD１３の録画単位（1つのファイルに含まれるデータ）は、必ずしも１つの放送番組になるとは限らず、正確には、１つの録画予約内容で特定される所定のチャンネルの放送内容となる。この放送内容には、１以上の放送番組が含まれ得る。さらに、この放送内容には、必ずしも放送番組の全てが含まれるとは限らず、放送番組の一部分のみが含まれることもある。従って、HDD１３に記録される１つのファイルには、所定のチャンネルから放送された１つの放送番組が含まれることもあるし、そのチャンネルから放送された２以上の放送番組が含まれることもある。
【００３３】
なお、以下、このようなファイルをビデオカプセルと称する。即ち、ビデオカプセルには、１以上の放送番組のそれぞれの少なくとも一部分（圧縮コンテンツデータ）が含まれる。ただし、以下、説明の簡略上、１つのビデオカプセルには、所定の１つの放送番組全体のみが含まれているとする。
【００３４】
さらに、HDD１３には、各放送局から過去に放送されたまたは将来放送予定の各放送番組の番組情報、本実施の形態ではEPG情報も記憶される。
【００３５】
このEPG情報は、例えば本実施の形態では、ネットワーク４に接続されるサービス提供サーバ３から提供される。そこで、図１の例の録画再生装置１には、通信部１５とEPG取得部１６とが設けられている。即ち、通信部１５は、ネットワーク４を介するサービス提供サーバ３との間の通信を制御する。EPG取得部１６は、ネットワーク４と通信部１５とを介して各放送番組のEPG情報を適宜取得してHDD１３に記憶させる。
【００３６】
ただし、番組情報の取得方法は、上述した例に限定されず任意の方法でよい。例えば、アンテナ７に受信された地上波のテレビジョン放送信号の垂直ブランキング期間から番組情報を抽出したり、アンテナ７に受信された衛星波のテレビジョン放送信号から番組情報を抽出するといった方法を採用してもよい。
【００３７】
録画制御部１４は、サービス提供サーバ３からネットワーク４と通信部１５とを介して提供される録画指令、または、パーソナルコンピュータ２から通信部１９を介して提供されてくる録画指令等に従って、エンコード部１２とHDD１３とを制御することで、放送番組の録画動作を制御する。ここでいう録画動作とは、実際に録画する動作自体（以下、かかる動作を、録画処理と称する）のみならず、その録画予約の設定を行い、その設定内容を管理すること（以下、かかることを、録画予約投入と称する）を行うために必要な一連の動作（以下、録画予約投入処理と称する）等も含む。
【００３８】
なお、録画予約投入処理やそれに伴うユーザ操作等の各種例、および、録画処理例等については、図２以降の図面を参照して後述する。
【００３９】
再生制御部１７は、リモートコントローラ６から提供される再生指令、または、パーソナルコンピュータ２から通信部１９を介して提供されてくる再生指令等に従って、デコード部１８とHDD１３とを制御することで、放送番組の再生動作を制御する。
【００４０】
即ち、デコード部１８は、再生制御部１７の制御に基づいて、再生対象の録画番組を圧縮コンテンツデータの形態で含むビデオカプセルをHDD１３から読み出す。そして、デコード部１８は、そのビデオカプセルに含まれる圧縮コンテンツデータをMPEG方式等でデコードし、その結果得られる映像信号と音声信号（放送番組に対応する信号）をテレビジョン受像機５に提供する。すると、その放送番組がテレビジョン受像機５から再生される。即ち、その放送番組に対応する映像がテレビジョン受像機５の画面に表示されるとともに、その放送番組に対応する音声がテレビジョン受像機５のスピーカ等から出力される。
【００４１】
通信部１９は、パーソナルコンピュータ２との間で各種情報を送受信する。
【００４２】
Infoランプ２０は、ユーザに対して提示すべき情報が存在する場合に点灯する。本実施の形態では、後述する図３１の録画処理のステップＳ１２９の処理により、Infoランプ２０が点灯する。即ち、詳細については後述するが、本実施の形態では、１つの予約内容の録画予約投入が失敗した場合、その旨をユーザに対して提示すべく、Infoランプ２０が点灯する。
【００４３】
パーソナルコンピュータ２は、例えばサービス提供サーバ３からネットワーク４を介して提供されてくる各種情報、或いは、ユーザからの指示等に従って、所定の録画指令（後述する図２の個別予約の手動予約やパターン予約による録画予約投入指令等）を生成して録画再生装置１に対して発行することができる。また、パーソナルコンピュータ２は、録画再生装置１の上述した各種機能のうちの、チューナ部１１とエンコード部１２とが有する機能（放送番組受信録画機能）を除く機能と同様の機能を実現することができる。
【００４４】
このため、パーソナルコンピュータ２には、主制御部３１乃至再生部３８が設けられている。
【００４５】
主制御部３１は、このパーソナルコンピュータ２の動作全体を制御する。その際、主制御部３１は、ユーザによる操作部３２の操作内容を適宜利用する。
【００４６】
通信部３３は、録画再生装置１の通信部１９との間で各種情報を送受信する。
【００４７】
HDD３４は、主制御部３１が実行するために必要な各種情報の他、録画再生装置１のHDD１３の記憶内容（ビデオカプセルやEPG情報等）のコピーも記憶可能である。
【００４８】
通信部３５は、ネットワーク４を介するサービス提供サーバ３との間の通信を制御する。
【００４９】
録画制御部３６は、録画再生装置１のHDD１３またはパーソナルコンピュータ２のHDD３４への録画動作を制御する。例えば上述したように、録画制御部３６は、サービス提供サーバ３からネットワーク４と通信部３５とを介して提供されてくる各種情報に従って、或いは、操作部３２と主制御部３１とを介して提供されてくるユーザ指示に従って、所定の録画指令（後述する図２の個別予約の手動予約やパターン予約による録画予約投入指令等）を生成し、通信部３３を介して録画再生装置１に対して発行することができる。
【００５０】
再生制御部３７は、操作部３２等からの再生指令に基づいて、録画再生装置１のHDD１３またはパーソナルコンピュータ２のHDD３４内の所定の録画番組を、再生部３８に再生させるための制御を行う。即ち、録画再生装置１の再生制御部１７はテレビジョン受像機５に対する再生動作を制御したが、再生制御部３７は、再生部３８に対する再生動作であって、録画再生装置１の再生制御部１７の再生動作と同様な再生動作を行う。
【００５１】
換言すると、本実施の形態では、録画再生装置１のHDD１３またはパーソナルコンピュータ２のHDD３４内の各録画番組は、テレビジョン受像機５と、パーソナルコンピュータ２の再生部３８（例えば内蔵するディスプレイやスピーカ等）との何れからも再生可能とされている。
【００５２】
次に、図２を参照して、本実施の形態の録画再生装置１に搭載されている録画予約機能の概略について説明する。なお、ここでいう録画予約とは、ユーザまたは録画再生装置１自身の各種指示（後述するキーワード登録等含）に基づく録画予約投入指令が発行され、その録画予約投入指令に従った録画予約投入処理が実行され、その結果として、録画予約の投入が行われるまでの一連の過程をいう。また、録画予約の結果、即ち、録画予約の投入がなされたものを、以下、予約内容と称する。
【００５３】
図２の「予約の種類（大分類）」の項目に示されるように、本実施の形態の録画再生装置１で実現可能な録画予約の種類は大別して３種類ある。かかる３種類のそれぞれを、本明細書でも図２の記載とあわせて、個別予約、パターン予約、および、おまかせ予約のそれぞれと称することにする。
【００５４】
個別予約とは、従来の録画再生装置にも搭載されていた録画予約と類似する録画予約である。即ち、個別予約とは、ユーザが録画を所望する各放送番組のそれぞれについて、その放送チャンネル（以下、適宜放送Chと略記する）と放送時間帯とを指定し、その指定に基づいて録画予約投入指令が発行される、といった録画予約をいう。
【００５５】
個別予約は、ユーザ操作の観点から、図２の「予約の種類（小分類）」の項目に示されるように、さらに３種類に分類される。かかる３種類のそれぞれを、本明細書でも図２の記載とあわせて、手動予約、番組予約、および、リモート予約のそれぞれと称することにする。
【００５６】
手動予約とは、ユーザが、パーソナルコンピュータ２（以下、適宜PC２と略記する）の操作部３２等を手動操作することで録画予約に必要な各種情報を入力し、PC２の録画制御部３６が、その入力内容を受けて録画予約投入指令を生成して録画再生装置１に対して発行し、録画再生装置１の録画制御部１４が、その録画投入指令に従って録画予約の投入を行う、といった録画予約をいう。
【００５７】
図２の「ユーザ操作」の項目に示されるように、手動予約におけるユーザ操作（上述した手動操作）は、録画パターンビュー（後述する図１５，図１６参照）を利用して行われる。
【００５８】
また、図２の「録画予約投入指令の内容」の項目に示されるように、手動予約における録画予約投入指令には、ユーザが録画を所望する放送番組についての放送時間帯や放送Chの他、その放送番組を受信させるために使用するチューナ（以下、使用チューナと称する）も含まれている。例えば本実施の形態では、図１の８台のチューナ部１１−１乃至１１−８のうちの所定の１つが、使用チューナとして、手動予約における録画予約投入指令に含まれることになる。
【００５９】
また、図２の「録画予約投入指令の伝達経路」の項目に示されるように（また、上述したように）、本実施の形態では、手動予約における録画予約投入指令は、ユーザのPC２の操作に基づいてPC２により生成され、PC２から録画再生装置１に伝送されていく。
【００６０】
この場合、図２の「録画予約投入処理の内容」の項目に示されるように、録画再生装置１の録画制御部１４は、録画予約投入処理として、例えば後述する図２１の通常予約投入処理を実行する。録画予約投入指令に使用チューナが含まれていることから、優先チャンネルを考慮したチューナの選択が不要だからである。なお、優先チャンネルについては、図７乃至図１３等の図面を参照して後述する。
【００６１】
また、番組予約とは、ユーザが、サービス提供サーバ３が提供するWebサイトに含まれる電子番組表（ＥＰＧ）から、録画を所望する放送番組の番組欄を選択し、サービス提供サーバ３が、その選択内容に基づく録画予約投入指令を生成して録画再生装置１に対して発行し、録画再生装置１の録画制御部１４が、その録画投入指令に従って録画予約の投入を行う、といった録画予約をいう。
【００６２】
図２の「ユーザ操作」の項目に示されるように（また上述したように）、番組予約におけるユーザ操作は、サービス提供サーバ３が提供するWebサイトに含まれる電子番組表（後述する図１７参照）を利用して行われる。
【００６３】
また、図２の「録画予約投入指令の内容」の項目に示されるように、番組予約における録画予約投入指令には、ユーザが録画を所望する放送番組についての放送時間帯や放送Chは含まれているが、使用チューナは含まれていない。
【００６４】
従って、優先チャンネル（後述する図７乃至図１３等参照）を考慮したチューナの選択が必要になることから、録画制御部１４は、録画予約投入処理として、例えば後述する図２２の優先Ch予約投入処理を実行する（図２の「録画予約投入処理の内容」の項目参照）。
【００６５】
また、番組予約では、サービス提供サーバ３のWebサイトに含まれる電子番組表のユーザによる閲覧が必要となる。かかる閲覧を行うための機器は、PC２でもよいし、携帯端末８でもよい。ただし、後述するリモート予約との違いを明確にすべく、本実施の形態では、ユーザは、PC２を利用して、サービス提供サーバ３のWebサイトに含まれる電子番組表の閲覧を行うとする。
【００６６】
この場合、図２の「録画予約投入指令の伝達経路」の項目に示されるように、本実施の形態では、番組予約における録画予約投入指令は、電子番組表を利用したユーザの操作内容をPC２からネットワーク４を介して取得したサービス提供サーバ３により生成され、サービス提供サーバ３からネットワーク４を介して録画再生装置１に伝送される。なお、図２の「録画予約投入指令の伝達経路」におけるPC２からサービス提供サーバ３までの矢印は、番組予約における録画予約投入指令を生成するための情報の伝送経路、即ち、電子番組表を利用したユーザの操作内容の伝送経路を示している。
【００６７】
また、リモート予約とは、ユーザが、外出先から携帯端末８等を利用して、サービス提供サーバ３と接続し、手動予約と同様に録画予約に必要な各種情報を入力し、サービス提供サーバ３が、その入力内容に基づく録画予約投入指令を生成して録画再生装置１に対して発行し、録画再生装置１の録画制御部１４が、その録画投入指令に従って録画予約の投入を行う、といった録画予約をいう。
【００６８】
図２の「ユーザ操作」の項目に示されるように、リモート予約におけるユーザ操作は、サービス提供サーバ３が提供するWebサイトに含まれるリモート予約用の画像等（図示せず）を利用して行われる。
【００６９】
また、図２の「録画予約投入指令の内容」の項目に示されるように、リモート予約における録画予約投入指令には、ユーザが録画を所望する放送番組についての放送時間帯や放送Chは含まれているが、使用チューナは含まれていない。
【００７０】
従って、優先チャンネル（後述する図７乃至図１３等参照）を考慮したチューナの選択が必要になることから、録画制御部１４は、録画予約投入処理として、例えば後述する図２２の優先Ch予約投入処理を実行する（図２の「録画予約投入処理の内容」の項目参照）。
【００７１】
なお、リモート予約を行うためにユーザが利用する機器は、携帯端末８でもよいし、PC２でもよい。ただし、上述した番組予約との違いを明確にすべく、本実施の形態では、ユーザは、リモート予約を行う場合、携帯端末８を利用するとする。
【００７２】
この場合、図２の「録画予約投入指令の伝達経路」の項目に示されるように、本実施の形態では、リモート予約における録画予約投入指令は、Webサイトを利用したユーザの操作内容を携帯端末８からネットワーク４を介して取得したサービス提供サーバ３により生成され、サービス提供サーバ３からネットワーク４を介して録画再生装置１に伝送される。なお、図２の「録画予約投入指令の伝達経路」における携帯端末８からサービス提供サーバ３までの矢印は、リモート予約における録画予約投入指令を生成するための情報の伝送経路、即ち、Webサイトを利用したユーザの操作内容の伝送経路を示している。
【００７３】
以上説明したような個別予約に対して、パターン予約とは、本発明人により発明された録画予約であって、特願２００４−１３８５９４号等においては、流し録り予約と称されている録画予約のことをいう。即ち、パターン予約とは、ユーザが、「録画対象チャンネルから放送される放送番組を所定の期間（曜日と時間帯。時間帯には２４時間全時間帯も含む）だけ録画する」という内容で指定し、録画再生装置１がその指定に基づいて予約投入を行う、という録画予約をいう。
【００７４】
本実施の形態では、録画再生装置１には８台のチューナ部１１が搭載されているので、１台のチューナ部１１ごとに、ユーザは、録画対象チャンネルをひとつずつ指定できる。従って、最大8チャンネル分の放送番組を24時間（所定の期間のうちの時間帯として24時間を設定した場合）同時に録画できることになる。この場合、設定された時間帯が各日それぞれ繰り返し録画されていくという予約内容となるため（後述する繰り返し予約による予約内容となるため）、日付を特定する必要はなくなる。即ち、ユーザは、所定の期間として曜日と時間帯とのみを指定すればよく、その他については、録画対象チャンネルを指定するだけでよい。その際、本実施の形態では、後述するように、録画対象チャンネルは優先チャンネル（後述する図７乃至図１３等参照）の中から選択されるので、録画対象チャンネルが指定されると使用チャンネルが一意に決定されることになる。
【００７５】
従って、パターン予約における録画予約投入指令には、所定の録画期間（曜日、時間帯）、録画対象チャンネル、使用チューナが含まれている（図２の「録画予約投入指令の内容」の項目参照）。
【００７６】
このようにパターン予約では、録画予約投入指令に使用チューナが含まれていることから、手動予約と同様に、優先チャンネル（後述する図７乃至図１３等参照）を考慮したチューナの選択が不要となる。従って、録画制御部１４は、録画予約投入処理として、例えば後述する図２１の通常予約投入処理を実行する（図２の「録画予約投入処理の内容」の項目参照）。
【００７７】
パターン予約は、ユーザ操作の観点から、図２の「予約の種類（小分類）」の項目に示されるように、さらに２種類に分類される。かかる２種類のそれぞれを、本明細書でも図２の記載とあわせて、簡易入力予約、および、録画パターンビュー予約のそれぞれと称することにする。
【００７８】
簡易入力予約とは、各種ダイアログ（後述する図４乃至図６参照）を利用した簡易的な入力操作による録画予約のことをいう（図２の「ユーザ操作」の項目参照）。
【００７９】
これに対して、録画パターンビュー予約とは、録画パターンビュー（後述する図１３，図１４参照）を利用することで細かな調整が可能な録画予約のことをいう（図２の「ユーザ操作」の項目参照）。なお、録画パターンビューとは、特願２００４−１３８５９４号等で言う「流し録り予約画像」に相当する画像のことをいう。
【００８０】
各種ダイアログや録画パターンビューの表示場所は、特に限定されないが、本実施の形態では図１のPC２の再生部３８（ディスプレイ等）とされる。従って、本実施の形態では、ユーザは、パターン予約のための操作を行う場合、PC２の操作部３２（マウスやキーボード等）を利用する。この場合、パターン予約における録画予約投入指令は、PC２により生成される。従って、本実施の形態では、パターン予約における録画予約投入指令伝達経路は、図２の「録画予約投入指令の伝達経路」の項目に示されるように、PC２から録画再生装置１への経路となる。
【００８１】
以上説明したような個別予約やパターン予約に対して、おまかせ予約とは、ユーザが事前に登録しておいたキーワードに該当する放送番組を、録画再生装置１が自動的に録画予約投入を行う、といった録画予約のことをいう。ここで、自動的とは、ユーザの操作（処理開始を指示するトリガ操作を除く）を介在することなく装置自身（ここでは録画再生装置１自身）の判断で実行することをいう。例えば、「グルメ」というキーワードが予め登録されていれば、「グルメ」に該当する放送番組（料理番組など）が自動的に録画予約投入されて、そお予約内容に従って自動的に録画されることになる。
【００８２】
図２の「ユーザ操作」の項目に示されるように（上述したように）、おまかせ予約に伴うユーザ操作は不要になる。
【００８３】
ただし、上述したように、ユーザは、事前のキーワード登録操作が必要となる。
【００８４】
この場合、かかるキーワード登録操作によるキーワードの登録先としては、録画再生装置１とサービス提供サーバ３とが存在する。従って、図２の「予約の種類（小分類）」の項目に示されるように、おまかせ予約は、キーワードの登録先に応じて次の２つの録画予約に分類される。
【００８５】
即ち、1つ目の録画予約とは、キーワードの登録先が録画再生装置１（より正確にはHDD１３）である録画予約であって、それ故、そのキーワードに該当する放送番組を録画再生装置１が判断する録画予約のことをいう。かかる1つ目の録画予約を、以下、図２の記載にあわせて、録画再生装置自身判断予約と称する。
【００８６】
これに対して、２つ目の録画予約とは、キーワードの登録先がサービス提供サーバ３である録画予約であって、それ故、そのキーワードに該当する放送番組をサービス提供サーバ３が判断する録画予約のことをいう。かかる２つ目の録画予約を、以下、図２の記載にあわせて、サービス提供サーバ判断予約と称する。
【００８７】
具体的には、録画再生装置自身判断予約とは、録画再生装置１の録画制御部１４が、所定のタイミング（例えばEPG取得部１６により新たなEPG情報が取得されたタイミング等）において、キーワードとEPG情報とに基づいて、そのキーワードに該当する放送番組を判断し、その判断結果に基づく録画予約投入指令を自分自身で発行し（図２の「録画予約投入指令の伝達経路」参照）、その録画投入指令に従って録画予約の投入を行う、といった録画予約をいう。
【００８８】
この場合、録画再生装置自身判断予約における録画予約投入指令には、録画再生装置１によりキーワードに該当すると判断された放送番組についての放送Chおよび放送時間帯が含まれており、使用チューナは含まれていない（図２の「録画予約投入指令の内容」の項目参照）。従って、優先チャンネル（後述する図７乃至図１３等参照）を考慮したチューナの選択が必要になることから、録画制御部１４は、録画予約投入処理として、例えば後述する図２２の優先Ch予約投入処理を実行する（図２の「録画予約投入処理の内容」の項目参照）。
【００８９】
また、サービス提供サーバ判断予約とは、サービス提供サーバ３が、所定のタイミング（例えば録画再生装置１に対して新たなEPG情報を提供するタイミング等）において、キーワードとEPG情報とに基づいて、そのキーワードに該当する放送番組を判断し、その判断結果に基づく録画予約投入指令を録画再生装置１に対して発行し（図２の「録画予約投入指令の伝達経路」参照）、録画再生装置１の録画制御部１４が、その録画投入指令に従って録画予約の投入を行う、といった録画予約をいう。
【００９０】
この場合、サービス提供サーバ判断予約における録画予約投入指令には、サービス提供サーバ３によりキーワードに該当すると判断された放送番組についての放送Chや放送時間帯が含まれており、使用チューナは含まれていない（図２の「録画予約投入指令の内容」の項目参照）。従って、優先チャンネル（後述する図７乃至図１３等参照）を考慮したチューナの選択が必要になることから、録画制御部１４は、録画予約投入処理として、例えば後述する図２２の優先Ch予約投入処理を実行する（図２の「録画予約投入処理の内容」の項目参照）。
【００９１】
以上説明した大分類による３種類の録画予約、即ち、個別予約、パターン予約、おまかせ予約には、優先度が予め設定されている。例えば本実施の形態では図２の「優先度」の項目に示される順番で優先度がそれぞれ設定されている。即ち、本実施の形態では、個別予約の優先度が１（最高位である第１位）とされ、パターン予約の優先度が２（その次の第２位）とされ、おまかせ予約の優先度が３（最低位である第３位）とされている。なお、優先度は、本実施の形態の設定例（図２の例）に限定されず、任意に設定してよい。
【００９２】
ここで、図３を参照して、優先度について説明する。
【００９３】
例えば、図３に示されるように、最初に、低い優先度の録画予約５１（所定のチャンネルから連続して放送される番組１乃至５の録画予約５１）が行われたとする。この場合、その予約内容５１−Ｌにおいては、録画予約５１のみが含まれることになる。
【００９４】
その後、それよりも高い優先度の録画予約５２（番組２の後半乃至番組４の前半までの時間帯に、別のチャンネルから放送される番組Ａの録画予約５２）が行われたとする。この場合、その予約内容５２−Ｌにおいては、番組２の後半乃至番組４の前半までの時間帯に録画予約５１と録画予約５２とが重なってしまうことになる。
【００９５】
このような場合、即ち、２以上の録画予約が所定の時間帯で重なっているような場合、その重なっている時間帯においては、優先度の高い方の録画予約５２が適用される。即ち、録画結果５３−Ａ，５３−Ｂに示されるように、重なっている時間帯においては、録画予約５２で特定される番組Ａが録画される。換言すると、重なっている時間帯においては、低い優先度の録画予約５１が無効となり、その重なっている時間帯は録画されないことになる。
【００９６】
ただし、重なっている時間帯の判断手法として、番組単位で判断する手法と、時間帯で判断する手法との2つの手法が存在する。
【００９７】
前者の手法が採用された場合には、番組２の開始時刻乃至番組４の終了時刻までの時間帯が、重なっている時間帯と判断される。その結果、録画結果５３−Ａに示されるように、番組２と番組４とは全て録画されないことになる。
【００９８】
これに対して、後者の手法が採用された場合には、番組２の後半の所定の時刻乃至番組４の前半の所定の時刻までの時間帯が、重なっている時間帯と判断される。即ち、番組２の前半の放送時間帯と、番組４の後半の放送時間帯とは、重なっている時間帯から除外される。その結果、録画結果５３−Ｂに示されるように、番組２と番組４とのうちの、重なっている時間帯と判断されなかった時間帯（除外された時間帯）の放送内容、即ち、番組２の前半部分と番組４の後半部分とは録画されることになる。
【００９９】
以下、上述した各種予約に伴うユーザ操作の詳細について説明していく。
【０１００】
はじめに、図４乃至図６を参照して、パターン予約のうちの簡易入力予約に伴うユーザ操作について説明する。
【０１０１】
簡易入力予約が行われる場合、初期設定画像として例えば図４に示されるようなダイアログ６１が、例えばPC２の再生部３８（図１）のディスプレイ等（以下、単にディスプレイと略記する）に表示される。
【０１０２】
このダイアログ６１は、その上方に記述されているように、所定のチューナと所定のチャンネルとを関連付ける（結びつける）ための設定を行う際に利用されるGUI（Grafical User Interface)画像の一例である。
【０１０３】
なお、以下、所定のチューナと所定のチャンネルとを関連付ける（結びつける）ことを、ダイアログ６１の表示に併せて、ペアリングと称する。即ち、ペアリングとは、所定のチューナの担当チャンネル（所定のチューナが録画予約を受け付けるチャンネル）を限定（設定）することを指す。また、所定のチューナについてペアリングの設定が行われ、その結果として、他のチャンネルの録画予約をそのチューナが受け付けない場合、そのペアリングは強いペアリングであると称する。一方、所定のチューナについてペアリングの設定が行われた後でも、他のチャンネルの録画予約の受付がそのチューナにとって可能な場合、そのペアリングは弱いペアリングであると称する。また、弱いペアリングが行われる場合に各チューナにとって主担当となるチャンネルを、以下、優先チャンネルと称する。ただし、優先チャンネルの詳細については、図７乃至図１３を参照して後述する。
【０１０４】
例えば本実施の形態では、弱いペアリングが行われるとして、ダイアログ６１では、各チューナ部１１−１乃至１１−８（図１）のそれぞれにとっての優先チャンネルが設定されるとする。
【０１０５】
具体的には例えば、各チューナ部１１−１乃至１１−８のそれぞれにとっての優先チャンネルは、プルダウンメニュー６１−１乃至６１−８のそれぞれにより設定される。
【０１０６】
即ち、初期状態においては、プルダウンメニュー６１−１乃至６１−８のそれぞれには、図４に示されるように、各チューナ部１１−１乃至１１−８のそれぞれにとっての優先チャンネルが未設定であることを示す「（未設定）」が表示されている。
【０１０７】
この状態で、ユーザは、PC２の操作部３２のマウス等（以下、単にマウスと略記する）を利用することで、プルダウンメニュー６１−１乃至６１−８のそれぞれにおいて表示される１以上のチャンネルの名称の中から、優先チャンネルとして設定したいチャンネルの名称をそれぞれ選択することで、優先チャンネルをそれぞれ設定する。なお、本実施の形態では、プルダウンメニュー６１−１乃至６１−８のそれぞれに表示される１以上のチャンネルの名称とは、固定ではなく、その時点で設定可能なチャンネルの名称のみが表示される。なお、設定可能なチャンネルとは何れのチャンネルであるのかについては、後述する優先チャンネルの説明とあわせて説明する。
【０１０８】
具体的には例えば、チューナ部１１−１乃至１１−８のそれぞれの優先チャンネルとして、Ach乃至Hchのそれぞれが設定された場合には、ダイアログ６１の表示は図５に示されるようになる。即ち、プルダウンメニュー６１−１乃至６１−８内のそれぞれには、「Ach」乃至「Hch」のそれぞれが表示される。
【０１０９】
この状態で、ユーザが、マウスを利用して、「次へ」と記述されたソフトウエアボタン６２を押下すると、例えば図６に示されるようなダイアログ７１がディスプレイに表示される。
【０１１０】
なお、以下、「○○」と記述されたソフトウエアボタンを、「○○」ボタンと称する。具体的には例えば、図５の例では、「次へ」と記述されたソフトウエアボタン６２を、「次へ」ボタン６２と称する。即ち、「次へ」ボタン６２が押下されると、図６のダイアログ７１がディスプレイに表示される。
【０１１１】
ダイアログ７１は、その上方に記述されているように、録画する時間帯と録画モードを設定する際に利用されるGUI画像の一例である。
【０１１２】
ダイアログ７１における「録画する時間帯」とは、特定の日または曜日の時間帯をいうのではなく、全ての曜日についての時間帯をいい、かつ、チューナ部１１−１乃至１１−８の全てに対して適用される時間帯をいう。即ち、簡易入力予約では、毎日（全曜日）の同一時間帯（ダイアログ７１の「録画する時間帯」として設定された時間帯）に、チューナ部１１−１乃至１１−８の全てに受信された全放送番組を録画する、という予約内容で録画予約投入がなされることになる。従って、各チューナ部１１−１乃至１１−８のそれぞれ単独での時間帯の調整（曜日調整含む）は、例えば図１３，図１４を参照して後述する録画パターンビュー予約等により行われることになる。
【０１１３】
具体的には例えば、ダイアログ７１における「録画する時間帯」は、プルダウンメニュー７２，７３により設定される。
【０１１４】
即ち、ユーザは、マウスを利用することで、プルダウンメニュー７２に表示される各時刻の中から、録画する時間帯の開始時刻を選択し、かつ、プルダウンメニュー７３に表示される各時間長の中から、録画する時間帯の録画時間（その時間帯の時間長）を選択することで、ダイアログ７１における「録画する時間帯」を設定する。なお、ダイアログ７１における「録画する時間帯」の終了時刻については、開始時刻と録画時間とから一意に特定されるので、ユーザは特に選択する必要がなく、PC２（図１）による演算結果がそのまま表示される。
【０１１５】
具体的には例えば図６の例では、開始時刻として「5:00」が設定され、録画時間として「24時間」が設定されている。このため、終了時刻として「5:00」が表示されている。従って、図６の例の状態で録画予約投入が行われると、毎日（全ての曜日）の全時間帯（２４時間全て）で、即ち常に、チューナ部１１−１乃至１１−８の全てに受信された全放送番組が録画されることになる。
【０１１６】
また、録画モードは、プルダウンメニュー７４により設定される。
【０１１７】
即ち、ユーザは、マウスを利用することで、プルダウンメニュー７４に表示される各録画モードの中から所望の１つを選択することで、録画モードを設定する。
【０１１８】
録画モードとは、本実施の形態では例えば、画質や音質を設定するためのモードをいい、いわゆる標準モードや長時間モードといった種類が何種類か存在する。例えば図６の例では、「長時間(2.5MBps)」という種類の録画モードが設定されていることになる。
【０１１９】
かかる録画モードの種類に応じて、同一の放送番組を録画する場合であっても、HDD１３に記録されるデータサイズは異なることになる。従って、本実施の形態では、録画再生装置１は、所定の放送番組の録画予約投入を行う場合、その分の記録領域をHDD１３に予め確保すべく、その確保が可能であるか否かのチェックを行う（後述する図２１のステップＳ８１、図２２のステップＳ１１０、および、図３１のステップＳ１２５等参照）。この場合、確保できないというチェック結果のときには、かかる録画モードを、小さいデータサイズとなるような録画モード（例えば低画質となるような録画モード）に更新させる設定を行えばよい。
【０１２０】
その後、ユーザが、マウスを利用して、ダイアログ７１の「次へ」ボタン７５を押下すると、簡易入力予約のためのユーザ操作は終了となる。
【０１２１】
かかる簡易入力予約のためのユーザ操作の結果、即ち、各チューナ部１１−１乃至１１−８の優先チャンネルの設定内容（図５等のプルダウンメニュー６１−１乃至６１−８の設定内容）、録画する時間帯の設定内容（図６のプルダウンメニュー７２，７３の設定内容）、および、録画モードの設定内容（図６のプルダウンメニュー７４の設定内容）が、図１の操作部３２から主制御部３１を介して録画制御部３６に提供される。
【０１２２】
すると、録画制御部３６は、その簡易入力予約のためのユーザ操作の結果に基づいて録画予約投入指令を生成して、通信部３３を介して録画再生装置１に対して発行する。なお、その際の録画予約投入指令に含まれる使用チャンネルは、各チューナ部１１−１乃至１１−８のそれぞれに設定された各優先チャンネルとなる。
【０１２３】
また、録画再生装置１の録画制御部１４は、この録画予約投入指令を通信部１９を介して取得すると、後述する図２１の通常予約投入処理を実行することになる。
【０１２４】
ここで、図７乃至図１３を参照して、優先チャンネルについてさらに詳しく説明する。
【０１２５】
例えばいま、Achからは、番組Pa1, Pa2, Pa3がその順番で順次放送されるとする。また、近傍の間帯に、Bchからは番組Pb1, Pb2, Pb3が、Cchからは番組Pc1, Pc2, Pc3が、Dchからは番組Pd1 Pd2, Pd3が、その順番でそれぞれ順次放送されるとする。即ち、番組Px1,・・・PxN（ここでは、xはa乃至dのうちの何れかのアルファベット。N=3）は、時間的に連続して放送される放送番組であるとする。
【０１２６】
また、ここでは、話を容易なものとするために、チューナ部１１−１乃至１１−８のうちの４台のチューナ部１１−１乃至１１−４だけが録画再生装置１に搭載されていると仮定する。
【０１２７】
このような仮定の下では、各チューナ部１１−１乃至１１−４に優先チャンネルが設定されていないと、例えば、各チューナ部１１−１乃至１１−４には図７に示されるように放送番組が受信される（その結果そのように録画される）。図７において、空欄の部分は、受信されていない時間帯、即ち、録画されていない時間帯を表しており、チューナリソースを無駄にしていることを意味している。また、番組Pd2とPb2とについては、各チューナ部１１−１乃至１１−４の何れにも受信されていないので、その結果録画されないことになる。
【０１２８】
そこで、チューナ部１１−１乃至１１−４のそれぞれの優先チャンネルとして、例えばAch乃至Dchのそれぞれを設定することで、各チューナ部１１−１乃至１１−４には図８に示されるように放送番組が受信される（そのように録画される）ことが可能になる。図８においては、空欄の部分が無くなった結果、即ち、各チューナ部１１−１乃至１１−４全てにおいて放送番組が受信されていない時間帯は無くなり、その結果、録画されない放送番組が無くなったことがわかる。このように、優先チャンネルという概念を導入することで、チューナリソースの無駄防止を図ることができる。
【０１２９】
以上の話は、時間的に連続して放送される複数の放送番組の連続録画、即ち、時間的に連続している録画予約投入（以下、連続時間帯録画投入予約と称する）が行われた場合の録画についての話である。そこで、今度は、時間的に連続していない放送番組の録画、即ち、時間的に連続していない録画予約投入（以下、非連続時間帯録画投入予約と称する）が行われた場合の録画について考える。
【０１３０】
例えば、上述した図４乃至図６で説明したユーザ操作による簡易入力予約が行われた場合等には、主に、連続時間帯録画予約投入が行われることになる。これに対して、後述するユーザ操作により個別予約のうちの番組予約やリモート予約が行われたり、或いは、おまかせ予約が行われた場合には、時として、非連続時間帯録画予約投入が行われることがある。
【０１３１】
このような非連続時間帯録画予約投入が行われる場合も、連続時間帯録画予約投入が行われる場合と同様に、基本的には、各チューナ部１１−１乃至１１−４に対して優先チャンネルを予め設定しておき、優先チャンネルに対する録画予約投入を行えばよい。ここで、優先チャンネルに対する録画予約投入とは、「所定のチャンネルから放送される放送番組を、その所定のチャンネルが優先チャンネルとして設定されているチューナ部１１に受信させた上で録画する」という内容の録画予約投入をいう。
【０１３２】
しかしながら、番組予約、リモート予約、および、おまかせ予約では、優先チャンネルとして設定されていない別のチャンネルの放送番組についての録画予約投入指令が発行される場合がある。例えば図８の例では、上述したように、チューナ部１１−１乃至１１−４のそれぞれの優先チャンネルとしてAch乃至Dchのそれぞれが設定されているので、それ以外の別のチャンネル、例えばEch等の放送番組についての録画予約投入指令が発行される場合がある。
【０１３３】
このような場合、即ち、Ech等、優先チャンネル以外の別のチャンネルの放送番組についての録画予約投入を行う必要がある場合、チューナ部１１−１乃至１１−４のうちの何れを使用チューナ（録画する際に使用するチューナ）として設定するのかは大きな問題である。そこで、本発明人は、このような場合にチューナリソースを最も有効に利用できる手法として、次のような手法を発明した。
【０１３４】
即ち、ここでも、録画再生装置１には４台のチューナ部１１−１乃至１１−４のみが搭載されていると仮定し、チューナ部１１−１乃至１１−４のそれぞれの優先チャンネルとして、Ach乃至Dchのそれぞれが設定されているとする。そして、このような仮定の下で、Kchの所定の番組（以下、番組Pkiと称する）についての録画予約投入について考える。なお、Kchは、Ach乃至Dchのうちの何れかのチャンネルとなるときもあるし、或いは、その他の別のチャンネルとなるときもある。
【０１３５】
この場合、録画再生装置１の録画制御部１４（図１）は、番組予約、リモート予約、または、おまかせ予約に基づく番組Pkiの録画予約投入を行う場合には、次のような録画予約投入処理を実行すればよい。
【０１３６】
即ち、番組PkiのチャンネルであるKchが、各チューナ部１１−１乃至１１−４のそれぞれの優先チャンネルのうちの何れか１つに該当するとき、即ち、ここではKchがAch乃至Dchのうちの何れかのチャンネルである場合、録画制御部１４は、チューナ部１１−１乃至１１−４のうちの、Kchが優先チャンネルとして設定されているチューナ部１１を使用チャンネルとして設定した上で、その番組Pkiの録画予約投入を行う。
【０１３７】
これに対して、番組PkiのチャンネルであるKchが、各チューナ部１１−１乃至１１−４のそれぞれの優先チャンネルのうちの何れにも該当しない場合、即ち、ここではKChがAch乃至Dch以外の別のチャンネルの場合、録画制御部１４は、番組Pkiの録画時間帯（放送時間帯）の周辺の所定の時間帯△Ｔにおいて、番組PkiのチャンネルであるKchの別の番組が最も多く録画予約投入されているチューナを、使用チャンネルとして設定した上で、その番組Pkiの録画予約投入を行う。
【０１３８】
具体的には例えば、各チューナ部１１−１乃至１１−４についての録画予約投入の状況は、図９に示される通りであるとする。そして、この状況下で、録画制御部１４は、図９に示される番組Pk5の録画予約投入を行うとする。
【０１３９】
そして、番組Pk5の録画時間帯（放送時間帯）の周辺の所定の時間帯△Ｔとして、図９の時間帯△Ｔ１が採用されたとする。この場合、チューナ部１１−１，１１−２には、番組Pk5のチャンネル（Kch）の別の番組は録画予約投入されていない。これに対して、チューナ部１１−３には、番組Pk5のチャンネル（Kch）の別の番組として、３つの番組Pk2，Pk3，Pk4が録画予約投入されている。また、チューナ部１１−４にも、番組Pk5のチャンネル(Kch)の別の番組として、３つの番組Pk6,Pk7,Pk8が録画予約投入されている。
【０１４０】
従って、時間帯△Ｔ１において、番組Pk5のチャンネル(Kch)の別の番組が最も多く録画予約投入されているチューナは、チューナ部１１−３，１１−４となる。
【０１４１】
このような場合、チューナ部１１−３，１１−４のうちの何れを使用チューナとして設定してもよい。
【０１４２】
ただし、本実施の形態では、時間帯△Ｔ１において、番組Pkiのチャンネルの別の番組が最も多く録画予約投入されているチューナが、チューナ部１１−３，１１−４といったように２以上存在する場合、即ち、使用チューナの候補が２以上存在する場合、録画制御部１４は、所定の時間帯△を、時間帯△Ｔ１からそれよりも長時間の時間帯△Ｔ２に更新して、更新後の時間帯△Ｔ２において、番組Pkiのチャンネル(Kch)の別の番組が最も多く録画予約投入されているチューナを再検索する。
【０１４３】
具体的には例えば所定の時間帯が図９の時間帯△Ｔ１から時間帯△Ｔ２に更新された場合には、チューナ部１１−３には、番組Pk5のチャンネル(Kch)の別の番組として、時間帯△Ｔ１と同一の３つの番組Pk2，Pk3，Pk4が録画予約投入されていることになる。これに対して、チューナ部１１−４には、番組Pk5のチャンネル(Kch)の別の番組として、時間帯△Ｔ１と同一の３つの番組Pk6，Pk7，Pk8に加えてさらに、番組Pk1が録画予約投入されていることになる。
【０１４４】
従って、時間帯△Ｔ２においては、番組Pk5のチャンネル(Kch)の別の番組が最も多く録画予約投入されているチューナは、チューナ部１１−４となる。そこで、録画制御部１４は、チューナ部１１−４を使用チャンネルとして設定した上で、その番組Pk5の録画予約投入を行う。
【０１４５】
このように、所定の時間帯△Ｔとして時間帯△Ｔ１が採用されたときにおいて、複数の使用チューナ候補が存在するときには、即ち、番組Pkiのチャンネル(Kch)についての、録画予約投入済みの別の番組の個数が同一のチューナが複数存在するときには、所定の時間帯△Ｔを時間帯△Ｔ１からそれよりも長い△Ｔ２に更新して、使用チューナ候補の数を絞っていけばよい。このように、所定の時間帯△Ｔの時間長を更新していくことで、番組Pkiの録画時間帯の近傍において、その番組Pkiのチャンネルの録画予約投入が最密に行われている１つのチューナに絞り込まれるので、そのチューナを使用チューナとして設定することで、チューナリソースを最も有効に利用できるようになる。
【０１４６】
さらに、録画制御部１４は、番組Pk11の録画予約投入を行うとする。また、番組Pk11の録画時間帯（放送時間帯）の周辺の所定の時間帯△Ｔとして、時間帯△Ｔ３が採用されたとする。
【０１４７】
この場合、チューナ部１１−２乃至１１−４には、番組Pk11のチャンネル（Kch）の別の番組は録画予約投入されていない。これに対して、チューナ部１１−１には、番組Pk5のチャンネル（Kch）の別の番組として、３つの番組Pk9，Pk10，Pk12が録画予約投入されている。
【０１４８】
従って、時間帯△Ｔ３において、番組Pk11のチャンネル(Kch)の別の番組が最も多く録画予約投入されているチューナは、チューナ部１１−１となる。そこで、録画制御部１４は、チューナ部１１−１を使用チャンネルとして決定した上で、その番組Pk11の録画予約投入を行う。
【０１４９】
このように、同一チャンネル(Kch)の番組Pkiであっても、その放送時間帯が異なれば、その同一チャンネル(Kch)の録画予約投入が最密に行われているチューナは異なる場合がある。このような場合、異なるチューナに対する録画予約投入がそれぞれ別個に行われる。即ち、そのような録画予約投入が行われるからこそ、チューナリソースの最も有効な利用が図られるのである。
【０１５０】
なお、所定の時間帯△Ｔ（△Ｔ１，△Ｔ２，△Ｔ３等）の長さは、任意長でよく、具体的には録画再生装置１の実装により決定される。
【０１５１】
以上の一連の処理からなる録画投入処理（以下、優先Ch予約投入処理と称する）を実現可能な手法が、本発明人により発明された手法である。
【０１５２】
このように、優先Ch予約投入処理とは、チューナリソースを最も有効に利用できるチューナを使用チューナとして設定した上で、録画予約投入を行う処理であるといえる。従って、録画予約投入指令に使用チャンネルが既に含まれている場合、即ち、本実施の形態では図２の手動予約およびパターン予約の場合には、優先Ch予約投入処理を実行させる必要はない。従って、このような場合、優先Ch予約投入処理は実行されずに、通常の録画予約投入処理（以下、通常予約投入処理と称する）が行われる。
【０１５３】
結局、録画再生装置１の録画制御部１４は、録画予約投入指令に使用チャンネルが含まれているか否かを判定し、含まれている場合には通常予約投入処理を実行し、含まれていない場合には優先Ch予約投入処理を実行する、といった録画予約投入処理を実行すればよい。
【０１５４】
なお、かかる録画予約投入処理の詳細については図２０のフローチャートを参照して、そのうちの、通常予約投入処理の詳細については図２１のフローチャートを参照して、また、優先Ch予約投入処理のさらなる詳細については、図２２のフローチャートを参照して、それぞれ後述する。
【０１５５】
ところで、本実施の形態では、チューナ部１１−１乃至１１−８のそれぞれの優先チャンネルの変更は、任意のタイミングで可能とされている。
【０１５６】
即ち、ユーザは、優先チャンネルの変更を行いたい場合、優先チャンネルの変更（設定）が可能な適当なダイアログ（例えば上述した図４のダイアログ６１等）をディスプレイに表示させて、そのダイアログを利用して、所望の優先チャンネルを設定するマウス操作を行えばよい。
【０１５７】
ただし、このとき、ダイアログにおいて、所定のチューナについて設定可能（更新可能）な優先チャンネルは、現時点で優先チャンネルとして設定されているチャンネルと、他のチューナに優先チャンネルとして設定されているチャンネル以外のチャンネルとのみとされる。即ち、他のチューナに優先チャンネルとして設定されているチャンネルは、所定のチューナについて設定可能（更新可能）な優先チャンネルの候補から除外される。
【０１５８】
具体的には例えば、チューナ部１１−１乃至１１−８の各優先チャンネルが図５に示されるようにAch乃至Hchのそれぞれに設定されているとする。この場合、ユーザは、チューナ部１１−１についての優先チャンネルを変更するときには、上述したように、プルダウンメニュー６１−１を利用して所望のチャンネルを選択することになる。ただし、このとき、プルダウンメニュー６１−１では、他のチューナ部１１−２乃至１１−８のそれぞれで優先チャンネルとして設定されているBch乃至Hchの選択は不可となる（Bch乃至Hchは表示されない）。
【０１５９】
また、所定のチューナ部１１についての優先チャンネル変更後は、所定のチューナ部１１についての予約内容は次のように変更される。即ち、所定のチューナ部１１に対して録画予約投入が行われていた番組のうちの、変更後の新たな優先チャンネル以外の別のチャンネルの番組については、その予約は削除される。また、変更後の新たな優先チャンネルの番組についての録画予約投入が別のチューナ部１１に対して行われていた場合（別チューナー部１１に間借りしていた場合）、それらの番組については、所定のチューナ部１１に対して新たに録画予約投入される（それらの番組の録画予約は所定のチューナ部１１に集められる）。この場合、原則として、別のチューナ部１１におけるそれらの番組の録画予約は削除されることになるが、所定のチューナ部１１における新たな録画予約投入が失敗したときは、その録画予約は削除されずにそのまま維持される。
【０１６０】
具体的には例えば、図９の予約内容の状況下（番組Pk5，Pk11は未投入とする）、チューナ部１１−１の優先チャンネルがAchからKchに変更された場合、チューナ部１１−１については、番組Pa1,Pa2,Pa…の録画予約は削除され、その代わりに、番組Pk1乃至Pk4および番組Pk6乃至Pk8の新たな録画予約投入が行われる。
【０１６１】
ただし、この場合、ユーザの優先チャンネル変更の指示操作後（図４のプルダウンメニュー６１−１等の選択操作後等）、直ちに、上述したように予約内容を変更してしまうと、ユーザに酷すぎる。
【０１６２】
そこで、本実施の形態では、ユーザの優先チャンネル変更の指示操作後（図４のプルダウンメニュー６１−１等の選択操作後等）、例えば図１０または図１１のような確認画像、即ち、録画予約投入内容を変更する旨をユーザに確認させるGUI画像を表示させ、「はい」ボタンが押下されたときのみ、予約内容の変更が許可されるようになされている。
【０１６３】
また、本実施の形態では、このように優先チャンネルの変更が可能であるので、同様にして、優先チャンネルの削除も可能とされている。
【０１６４】
即ち、ユーザは、優先チャンネルの削除を行いたい場合、優先チャンネルの設定が可能な適当なダイアログ（例えば上述した図４のダイアログ６１等）をディスプレイに表示させて、そのダイアログを利用する適当なマウス操作を行うことで、優先チャンネルを削除することもできる。
【０１６５】
具体的には例えば、図４のダイアログ６１等が利用される場合、ユーザは、プルダウンメニュー６１−１乃至６１−８で、図４に示される「（未設定）」を選択すればよい。
【０１６６】
なお、所定のチューナ部１１の優先チャンネル削除後も、優先チャンネル変更後と同様に、所定のチューナ部１１についての予約内容は次のように変更される。即ち、所定のチューナ部１１に対して録画予約投入が行われていた全ての番組に対して、それらの予約は削除される。
【０１６７】
従って、ユーザの優先チャンネル削除の指示操作後（図４のプルダウンメニュー６１−１等の「（未設定）」選択操作後等）、本実施の形態では例えば図１２のような確認画像、即ち、録画予約投入内容を変更（全削除）する旨をユーザに確認させるGUI画像を表示させ、「はい」ボタンが押下されたときのみ、録画予約投入内容の変更（全削除）が許可されるようになされている。
【０１６８】
以上、優先チャンネルの詳細について説明した。
【０１６９】
ここで、図２の各種の予約に伴うユーザ操作の説明に戻す。即ち、パターン予約のうちの簡易入力予約に伴うユーザ操作については上述したので、次に、図１３と図１４とを参照して、パターン予約のうちの録画パターンビュー予約に伴うユーザ操作について説明する。
【０１７０】
録画パターンビュー予約が行われる場合、はじめに、例えば図１３に示されるような録画パターンビュー８１がディスプレイに表示される。録画パターンビュー８１は、優先チャンネル等を表示する領域８１−１と、各種予約に伴うユーザ操作を行うためのGUI画像が表示される領域８１−２とから形成される。
【０１７１】
なお、後述するように、領域８１−２の表示画像は、現時点の予約内容の確認画像としても利用される。
【０１７２】
また、領域８１−１の表示内容からもわかるように、録画パターンビュー予約においては、各チューナ部１１−１乃至１１−８の優先チャンネルは何れも設定済みであることが前提とされている。例えば図１３の例では、領域８１−１の表示内容から、各チューナ部１１−１乃至１１−８のそれぞれの優先チャンネルは、Ach乃至Hchのそれぞれであることがわかる。
【０１７３】
領域８１−２の上方には、録画予約投入を行う対象のチャンネル（以下、録画するチャンネルと称する）をユーザが選択するためのプルダウンメニュー８２が設けられている。
【０１７４】
図１３の例では、プルダウンメニュー８２の表示内容から、Cchが録画するチャンネルとして設定されていることがわかる。また、Cchが録画するチャンネルとして設定されていることは、領域８１−１において、チューナ部１１−３、および、Cchが記述されている領域が反転表示（図では灰色表示）されていることからもわかる。
【０１７５】
プルダウンメニュー８２の下方の画像８３が、パターン予約のうちの録画パターンビュー予約に伴うユーザ操作を行うためのGUI画像である。なお、かかる画像８３は、現時点の予約内容の確認画像としても利用される。ただし、確認画像として利用される場合の画像８３の説明については、図２３を参照して後述する。
【０１７６】
この画像８３内には、プルダウンメニュー８２に表示されたチャンネル、即ち、録画するチャンネル（図１３の例では、チューナ部１１−３の優先チャンネルであるCch）ついての、録画パターン予約の録画予約投入を行うためのテーブル（以下、タイムテーブルと称する）が表示される。
【０１７７】
なお、このタイムテーブルは、予約内容の確認にも利用されるが、そのことについては図２３を参照して後述する。
【０１７８】
図１３に示されるように、このタイムテーブルは、例えば、横方向の項目（以下、横軸と称する）に曜日（月、火、水、木、金、土、日）が割り当てられ、縦方向の項目（以下、縦軸と称する）に時間（図１３の例では、２４時間のうちの、5:00乃至次の5:00）が割り当てられて構成されている。
【０１７９】
ユーザは、グラフィックエディタで四角形を書くように、このタイムテーブル内でマウスのドラッグ操作を行い、図１３に示されるような枠（四角形ラバーバンド）８４を生成（表示）した後、マウスのドロップ操作を行うことで、新規予約（新たな録画予約投入の対象）を指示することが可能である。
【０１８０】
この場合、この枠８４で囲まれる時間帯にプルダウンメニュー８２で設定されたチャンネルから放送される放送番組を毎週録画する、という録画予約投入が行われることになる。具体的には例えば図１３の例では、月乃至金曜日の各5:00乃至17:00の間にCchからそれぞれ放送される放送番組を毎週録画する（その際、使用チューナはチューナ部１１−３とする）、という録画予約投入が行われることになる。
【０１８１】
なお、特定の日の所定の時間帯の録画が行われた後、それとは別の日の同時間帯で録画が行われることを、繰り返し録画と称し、その繰り返し録画のための予約を繰り返し予約と称する。即ち、パターン予約とは、繰り返し予約の一実施の形態である。
【０１８２】
さらに、この枠８４の生成後、即ち、ユーザのマウスのドロップ操作後、本実施の形態では例えば、図１４に示されるようなダイアログ９１がディスプレイに表示される。従って、ユーザは、このダイアログ９１を利用することで、こまかな設定の調整を行うことができる。
【０１８３】
即ち、ユーザは、このダイアログ９１のうちの、“録画開始時刻(S)”の表示の右方のプルダウンメニュー９２を利用することで、即ち、マウスで対応する操作を行うことで、１日単位の録画時間帯のうちの開始時刻のこまかな設定を行うことができる。同様に、ユーザは、“録画終了時刻(E)”の表示の右方のプルダウンメニュー９３を利用することで、即ち、マウスで対応する操作を行うことで、１日単位の録画時間帯のうちの終了時刻のこまかな設定を行うことができる。
【０１８４】
また、ユーザは、“チャンネル(C)”の表示の右方のプルダウンメニュー９４を利用することで、即ち、マウスで対応する操作を行うことで、録画するチャンネル（図１３のプルダウンメニュー８２で設定されたチャンネル）の変更を行うことができる。
【０１８５】
また、ユーザは、“自動削除(B)  ビデオ保持期間の目安”の表示の右方のプルダウンメニュー９５を利用することで、即ち、マウスで対応する操作を行うことで、この録画予約投入に対応する録画番組（その予約内容に従って録画された録画番組）を何時まで保持しておくのか、換言すると、どのタイミングで削除させるのかを設定することができる。
【０１８６】
また、ユーザは、“曜日(D)”の表示の右方であって、“月”乃至“日”のそれぞれの表示の左方の各ボックス９６を利用することで、即ち、マウスで対応する操作を行うことで、毎週録画させる対象の「曜日」を設定することができる。
【０１８７】
また、ユーザは、“録画モード(M)”の表示の右方のプルダウンメニュー９７を利用することで、即ち、マウスで対応する操作を行うことで、録画モードを設定することができる。
【０１８８】
以上のようにして、ユーザは、パターン予約のうちの録画パターンビュー予約に必要な各種設定を行うことができる。かかる各種設定後、ユーザが、マウスを利用して、「OK」ボタン９８を押下すると、録画パターンビュー予約のためのユーザ操作は終了となる。
【０１８９】
かかる録画パターンビュー予約のためのユーザ操作の結果、即ち、ダイアログ９１の設定内容が、図１の操作部３２から主制御部３１を介して録画制御部３６に提供される。
【０１９０】
すると、録画制御部３６は、その録画パターンビュー予約のためのユーザ操作の結果に基づいて録画予約投入指令を生成して、通信部３３を介して録画再生装置１に発行する。なお、その際の録画予約投入指令に含まれる使用チャンネルは、プルダウンメニュー９４に表示（設定）されたチャンネル（図１４の例ではCch）となる。
【０１９１】
また、録画再生装置１の録画制御部１４は、この録画予約投入指令を通信部１９を介して取得すると、後述する図２１の通常予約投入処理を実行することになる。
【０１９２】
即ち、図１４の状態のまま「OK」ボタン９８が押下された場合には、「毎週、月乃至金曜日のそれぞれの5:00から17:00までの時間帯に、Cchから放送される各放送番組をチューナ部１１−３でそれぞれ受信して、「標準(4Mbps,VBR)」という種類の録画モードでそれぞれHDD１３に録画する」という予約内容で、録画予約投入されることになる。
【０１９３】
以上、図２の各種予約のうちの、パターン予約（簡易入力予約および録画パターンビュー予約）に伴うユーザ操作について説明した。
【０１９４】
次に、個別予約に伴うユーザ操作について説明する。
【０１９５】
はじめに、図１５と図１６とを参照して、個別予約のうちの手動予約に伴うユーザ操作について説明する。
【０１９６】
手動予約の場合も、パターン予約の録画パターンビュー予約の場合と同様に、録画パターンビュー８１が利用される。ただし、ユーザ操作のためのGUI画像として、録画パターンビュー予約の場合には画像８３（図１３）が利用されたが、手動予約の場合には、例えば図１５に示される画像１０１が利用される。
【０１９７】
即ち、個別予約では、特定の日付の時間帯の録画予約が指定されるので、特定の週についてのタイムテーブルを有する画像１０１が利用されるのである。例えば図１５の例では、9/19（月）乃至9/25（日）を横軸としたタイムテーブルが画像１０１に表示されている。
【０１９８】
なお、かかる画像１０１も、画像８３（図１３）と同様に、現時点の予約内容の確認画像としても利用される。ただし、確認画像として利用される場合の画像１０１の説明については、図２４，図２５を参照して後述する。
【０１９９】
ユーザは、マウスを利用して、「前週」ボタン１０２を押下することで、画像１０１の表示対象のタイムテーブルを、現在表示対象の週（図１５の例では9/19（月）乃至9/25(日)の週）の前の週のタイムテーブルに更新することができる。図示はしないが、例えば図１５の状況下で「前週」ボタン１０２が押下されると、9/12（月）乃至9/18（日）を横軸としたタイムテーブルが画像１０１に表示されることになる。
【０２００】
これに対して、ユーザは、マウスを利用して、「次週」ボタン１０３を押下することで、画像１０１の表示対象のタイムテーブルを、現在表示対象の週（図１５の例では9/19（月）乃至9/25(日)の週）の次の週のタイムテーブルに更新することができる。図示はしないが、例えば図１５の状況下で「次週」ボタン１０３が押下されると、9/26（月）乃至10/2（日）を横軸としたタイムテーブルが画像１０１に表示されることになる。
【０２０１】
また、ユーザは、プルダウンメニュー１０４を利用しても、即ち、マウスで対応する操作をしても、画像１０１の表示対象のタイムテーブルを更新することができる。
【０２０２】
ユーザは、これらの「前週」ボタン１０２、「次週」ボタン１０３、およびプルダウンメニュー１０４のうちの少なくとも１つを利用することで、録画予約投入を行いたい週のタイムテーブルを画像１０１に表示させることができる。その後のユーザ操作は、基本的に、パターン予約の録画パターンビュー予約の場合と同様の操作となる。
【０２０３】
即ち、ユーザは、グラフィックエディタで四角形を書くように、タイムテーブル内でマウスのドラッグ操作を行い、図１５に示されるような枠（四角形ラバーバンド）１０５を生成（表示）した後、マウスのドロップ操作を行うことで、新規予約を指示することができる。
【０２０４】
この場合、画像１０１に表示されているタイムテーブルで特定される週について、この枠１０５で囲まれる時間帯にプルダウンメニュー８２で設定されたチャンネルから放送される放送番組を録画する、という録画予約投入が行われることになる。具体的には例えば図１５の例では、9/19（月）乃至9/23(金)の23:00乃至0:00の間にCchから放送される放送番組を録画する（その際、使用チューナはチューナ部１１−３とする）、という録画予約投入が行われることになる。
【０２０５】
さらに、この枠１０５の生成後、即ち、ユーザのマウスのドロップ操作後、本実施の形態では例えば、図１６に示されるようなダイアログ１１１がディスプレイに表示される。従って、ユーザは、このダイアログ１１１を利用して、こまかな設定の調整を行うことができる。
【０２０６】
即ち、ユーザは、このダイアログ１１１のうちの、“タイトル(T)”の表示の右方のボックス１１２内をマウスでクリックした後、操作部３２（図１）のキーボード等を利用して、録画予約投入対象（このダイアログ１１１で特定される予約内容）のタイトル（対応する番組のタイトル等）を入力することができる。
【０２０７】
なお、本実施の形態では、ユーザが何も入力しなかった場合、録画予約投入対象を特定可能な事項、例えば、放送局名（チャンネル名）と録画日時（録画年月日と、その録画時間帯）とが、タイトルとして自動的に入力される（図１のPC2自身の判断で入力する）。
【０２０８】
また、ユーザは、“ジャンル(G)”の表示の右方のプルダウンメニュー１１３を利用することで、即ち、マウスで対応する操作を行うことで、録画予約投入対象のジャンル（大ジャンル）を設定することができる。同様に、ユーザは、“詳細ジャンル(S)”の表示の右方のプルダウンメニュー１１４を利用することで、即ち、マウスで対応する操作を行うことで、録画予約投入対象の詳細ジャンル（小ジャンル）を設定することができる。
【０２０９】
また、ユーザは、“チャンネル(C)”の表示の右方のプルダウンメニュー１１５を利用することで、即ち、マウスで対応する操作を行うことで、録画するチャンネル（図１５のプルダウンメニュー８２で設定されたチャンネル）の変更を行うことができる。
【０２１０】
また、ユーザは、“録画日時(D)”の表示の右方のプルダウンメニュー１１６を利用することで、即ち、マウスで対応する操作を行うことで、録画日時（録画年月日と、その録画時間帯）を設定することができる。
【０２１１】
また、ユーザは、“繰り返し(R)”の表示の右方または右斜め下方の各ボックス１１７，１１８を押下することで、プルダウンメニュー１１６で設定された録画日時とは別の日（ユーザが指定した曜日）についても、プルダウンメニュー１１６で設定された録画時間帯と同一時間帯での録画を予約するという設定、即ち、繰り返し予約の設定ができる。
【０２１２】
具体的には例えば、図１６の例では、ボックス１１８のうちの、月乃至金の左方のボックスがチェック（設定）されているので、ボックス１１７がチェックされていないと仮定すれば（毎週繰り返し録画が設定されていないと仮定すれば）、「2005/9/19（月）乃至9/25（金）のそれぞれの23:00乃至0:00の間にCchからそれぞれ放送される放送番組をその都度録画する」という予約内容で録画予約投入が行われることになる。
【０２１３】
さらに、図１６の例では、ボックス１１７もチェックされているので（毎週繰り返し録画が設定されているので）、結局、「毎週、月乃至金のそれぞれの23:00乃至0:00の間にCchからそれぞれ放送される放送番組をその都度録画する」という予約内容で録画予約投入が行われることになる。即ち、ボックス１１７がチェックされている場合には、あたかもパターン予約のような録画予約投入が行われることになる。
【０２１４】
また、ユーザは、“録画モード(M)”の表示の右方のプルダウンメニュー１１９を利用することで、即ち、マウスで対応する操作を行うことで、録画モードを設定することができる。
【０２１５】
また、ユーザは、操作部３２（図１）のキーボード等を利用して、“詳細(N)”の表示の右方のボックス１２０に、所望のテキストを入力することができる。
【０２１６】
また、ユーザは、マウスを利用してボックス１２１をチェックすることで、その右方の表示に示されるように、録画予約投入対象（このダイアログ１１１で特定される番組）に関する情報（具体的には例えばタイトルやジャンル等）を、対応するEPG情報を利用して自動的に更新させる、という設定ができる。
【０２１７】
また、ユーザは、マウスを利用してボックス１２２をチェックすることで、その右方の表示に示されるように、HDD１３（図１）の空き容量が不足しているとき、この録画予約投入に対応する録画内容（このビデオ）を、自動削除の対象とすることができる。さらに、ユーザは、“ビデオ保持期間の目安(B)”の表示の右方のプルダウンメニュー１２３を利用することで、即ち、マウスで対応する操作を行うことで、このビデオ（対応する録画内容）を何時まで保持しておくのか、換言すると、どのタイミングで削除させるのかを設定することができる。
【０２１８】
以上のようにして、ユーザは、個別予約のうちの手動予約に必要な各種設定を行うことができる。かかる各種設定後、ユーザが、マウスを利用して、「OK」ボタン１２４を押下すると、手動予約に伴うユーザ操作は終了となる。
【０２１９】
かかる手動予約に伴うユーザ操作の結果、即ち、ダイアログ１１１の設定内容が、図１の操作部３２から主制御部３１を介して録画制御部３６に提供される。
【０２２０】
すると、録画制御部３６は、その手動予約に伴うユーザ操作の結果に基づいて録画予約投入指令を生成して、通信部３３を介して録画再生装置１に発行する。なお、その際の録画予約投入指令に含まれる使用チャンネルは、プルダウンメニュー１１５に表示（設定）されたチャンネル（図１６の例ではCch）となる。
【０２２１】
また、録画再生装置１の録画制御部１４は、この録画予約投入指令を通信部１９を介して取得すると、後述する図２１の通常予約投入処理を実行することになる。
【０２２２】
以上、図２の個別予約のうちの手動予約に伴うユーザ操作について説明した。
【０２２３】
次に、図１８と図１９を参照して、個別予約のうちの番組予約に伴うユーザ操作について説明する。
【０２２４】
番組予約を行う場合、ユーザは、図１のPC２とサービス提供サーバ３とをネットワーク４を介して接続させ（例えばインターネット接続をさせ）、サービス提供サーバ３のWebサイトに含まれる電子番組表（ＥＰＧ）、具体的には例えば図１７に示される電子番組表１３１等をディスプレイに表示させる。そして、ユーザは、マウスを利用して、その電子番組表１３１を構成する各番組欄の中から、録画を所望する放送番組の番組欄内の「iEPG」ボタン１３２を押下する。
【０２２５】
すると、サービス提供サーバ３は、押下された「iEPG」ボタン１３２に対応する放送番組の録画予約投入に必要な情報（放送チャンネルや放送時間帯等）やその他のEPG情報（いわゆるメタデータ）を、ネットワーク４を介してPC２に送信する。
【０２２６】
すると、例えばPC２の主制御部３１は、それらの情報を、通信部３５や録画制御部３６を介して取得する。そして、主制御部３１は、それらの情報を初期値として代入したダイアログ、例えば図１８に示されるダイアログ１４１を生成して、再生制御部３７を制御することで、そのダイアログ１４１を再生部３８のディスプレイ等に表示させる。
【０２２７】
図１８のダイアログ１４１の設定項目（ボックスやプルダウンメニュー等による設定項目）は、図１６のダイアログ１１１の設定項目と同一とされている。ただし、タイトルやその他の各種情報は、基本的にユーザが入力する必要はなく、上述したように、サービス提供サーバ３から提供された情報が初期値として自動的に入力される。従って、ユーザは、適当な操作を行って、所望の項目のみを変更すればよい。
【０２２８】
かかる変更のための適当な操作後、ユーザが、マウスを利用して、このダイアログ１４１内の「OK」ボタンを押下すると、番組予約に伴うユーザ操作は終了となる。
【０２２９】
その後の処理は、手動予約の場合と全く同様になる。即ち、ダイアログ１４１の設定内容が、図１の操作部３２から主制御部３１を介して録画制御部３６に提供される。
【０２３０】
すると、録画制御部３６は、そのダイアログ１４１の設定内容に基づいて録画予約投入指令を生成して、通信部３３を介して録画再生装置１に発行する。
【０２３１】
また、録画再生装置１の録画制御部１４は、この録画予約投入指令を通信部１９を介して取得すると、後述する図２１の通常予約投入処理を実行することになる。
【０２３２】
以上、図２の個別予約のうちの手動予約と番組予約とのそれぞれに伴うユーザ操作について個別に説明した。
【０２３３】
次に、個別予約のうちのリモート予約に伴うユーザ操作について説明する。
【０２３４】
リモート予約とは、上述したように本実施の形態では、ユーザが外出先から携帯端末８を利用して所望の番組の録画予約等を指令する、といった予約をいう。
【０２３５】
従って、リモート予約を実現させるための準備操作として、即ち、リモート予約前に事前に行うべき操作として、本実施の形態では例えば、次のような操作をユーザが行っておくとする。
【０２３６】
即ち、ユーザは、サービス提供サーバ３のWebサイトにアカウントを作る。
【０２３７】
次に、ユーザは、マウス等を操作することで、サービス提供サーバ３のWebサイトに対して録画再生装置１がアクセスするために必要な各種設定を行うGUI画像、例えば図１９に示されるようなダイアログ１５１をディスプレイに表示させる。そして、ユーザは、マウスを操作することで、ダイアログ１５１内の各設定項目をそれぞれ設定する。
【０２３８】
具体的には、ユーザは、マウスを利用して、リモート予約の停止（録画再生装置１がWebサイトへアクセスすることの禁止）を行う場合には停止ボタン１６１を押下し、また、リモート予約の開始（録画再生装置１がWebサイトへの定期的なアクセスを行うことの許可）を行う場合には開始ボタン１６２を押下する。
【０２３９】
また、ユーザは、キーボード等を利用して、上述したアカウント時に得た「ID」と「パスワード」とのそれぞれお、ボックス１６３，１６４にそれぞれ入力する。
【０２４０】
また、ユーザは、プルダウンメニュー１６５を利用することで、即ち、マウスで対応する操作を行うことで、録画再生装置１がサービス提供サーバ３のWebサイトにアクセスする時間間隔を設定する。
【０２４１】
また、ユーザは、“録画モード”の表示の右方のプルダウンメニュー１６６を利用することで、即ち、マウスで対応する操作を行うことで、録画再生装置１がリモート予約による録画予約投入を行う際の録画モードを設定することができる。
【０２４２】
また、ユーザは、マウスを利用してボックス１６７をチェックすることで、その右方の表示に示されるように、HDD１３（図１）の空き容量が不足しているとき、リモート予約に基づく録画内容を、自動削除の対象とすることができる。さらに、ユーザは、“ビデオ保持期間の目安”の表示の右方のプルダウンメニュー１６８を利用することで、即ち、マウスで対応する操作を行うことで、このビデオ（リモート予約に基づく録画内容）を何時まで保持しておくのか、換言すると、どのタイミングで削除させるのかを設定することができる。
【０２４３】
また、ユーザは、マウスを利用して「対象チャンネルの設定」ボタン１６９を押下することで、録画再生装置１がリモート予約の対象とするチャンネルを設定することができる。換言すると、かかる設定がなされていないチャンネルの番組について、リモート予約に基づく録画予約投入指令が発行されても、録画再生装置１は、かかるチャンネルの番組の録画予約投入は行わない。
【０２４４】
以上のようにして、ユーザは、サービス提供サーバ３のWebサイトに対して録画再生装置１がアクセスするために必要な各種設定を行うことができる。かかる各種設定後、ユーザが、マウスを利用して、「設定を保存」ボタン１７０を押下すると、リモート予約を実現させるための準備操作は終了となる。
【０２４５】
このとき、ダイアログ１５１の設定内容は、PC２から録画再生装置１の録画制御部１４に提供される。そこで、録画制御部１４は、かかる設定内容に従って、サービス提供サーバ３のWebサイトに定期的に（図１９のプルダウンメニュー１６５で設定された時間間隔で）アクセスする。
【０２４６】
録画再生装置１によるアクセス前に、ユーザが、外出先から携帯端末８を利用して、サービス提供サーバ３と接続し、手動予約と同様に録画予約に必要な各種情報を入力していれば、かかるアクセス時に、その入力された各種情報に基づいて録画予約投入指令がサービス提供サーバ３により生成されることになる。そして、その録画予約投入指令は、サービス提供サーバ３からネットワーク４を介して録画再生装置１に対して発行（送信）されることになる。
【０２４７】
この場合、録画再生装置１の録画制御部１４は、その録画投入指令を通信部１５を介して取得して、それに従った録画予約投入を行うことになる。具体的には例えば、録画制御部１４は、後述する図２２の優先Ch予約投入処理を行うことになる。
【０２４８】
以上、図２の各種予約のうちの個別予約とパターン予約とのそれぞれに伴うユーザ操作について説明した。
【０２４９】
なお、おまかせ予約に伴うユーザ操作は、上述したように不要である。ただし、ユーザは、上述したように、録画再生装置１またはサービス提供サーバ３にキーワードを予め登録しておく必要がある。即ち、キーワード登録操作自体は必要になる。ただし、ユーザの操作履歴等に基づいてキーワードを自動生成するような機能を録画再生装置１が備えている場合には、かかるキーワード登録操作も不要となる。
【０２５０】
また、おまかせ予約のうちのサービス提供サーバ判断予約（図２参照）を実現させるためには、上述したリモート予約の準備操作と同様の操作をユーザが事前に行っておく必要がある場合もある。この場合、その準備操作後に、録画制御部１４は、例えば、サービス提供サーバ３に定期的にアクセスする。このアクセス時に、キーワードに該当する録画番組が存在すれば、その録画番組についての録画予約投入指令がサービス提供サーバ３により生成されることになる。そして、その録画予約投入指令は、サービス提供サーバ３からネットワーク４を介して録画再生装置１に対して発行（送信）されることになる。すると、録画再生装置１の録画制御部１４は、その録画投入指令を通信部１５を介して取得して、それに従った録画予約投入を行うことになる。具体的には例えば、録画制御部１４は、後述する図２２の優先Ch予約投入処理を行うことになる。
【０２５１】
以上、図２の各種の録画予約について、ユーザ操作の観点から説明した。次に、図２の各種の録画予約について、録画再生装置１の動作の観点から説明する。即ち、以下、録画再生装置１の録画予約投入処理について説明する。
【０２５２】
録画再生装置１は、例えば図２０のフローチャートに従って、録画予約投入処理を実行することができる。
【０２５３】
即ち、ステップＳ１において、図１の録画再生装置１の録画制御部１４は、録画予約投入指令がなされたか否かを判定する。
【０２５４】
図２を用いて上述したように、録画予約投入指令は、個別予約の手動予約、およびパターン予約の場合にはPC２から発行され、個別予約の番組予約およびリモート予約、並びに、おまかせ予約のサービス提供サーバ判断予約の場合にはサービス提供サーバ３から発行され、また、おまかせ予約の録画再生装置自身判断予約の場合には録画制御部１４自身により発行される。
【０２５５】
これらの図２の各種の録画予約のうちの何れかひとつに基づく録画予約投入指令が発行されるまでの間、ステップＳ１の処理で、録画予約投入指令がなされていないと判断されて、処理はステップＳ１に再び戻され、録画予約投入指令がなされたか否かが再度判定される。即ち、ステップＳ１の判定処理が繰り返されて、録画予約投入処理は待機状態となる。
【０２５６】
その後、図２の各種の録画予約のうちの何れかひとつに基づく録画予約投入指令が発行されると、ステップＳ１の処理でＹＥＳであると判定されて、処理はステップＳ２に進む。
【０２５７】
ステップＳ２において、録画制御部１４は、録画予約投入指令の中に、使用チューナが含まれているか否かを判定する。
【０２５８】
上述したように、個別予約の手動予約と、パターン予約とのうちの何れか一方に基づく録画予約投入指令が発行された場合には、その録画予約投入指令には使用チューナが含まれている。従って、このような場合には、ステップＳ２の処理でＹＥＳであると判定されて、処理はステップＳ３に進む。ステップＳ３において、録画制御部１４は、通常予約投入処理を実行する。なお、通常予約投入処理の詳細例については、図２１を参照して後述する。
【０２５９】
これに対して、個別予約の番組予約およびリモート予約、並びにおまかせ予約のうちの何れかに基づく録画予約投入指令が発行された場合には、その録画予約投入指令には使用チューナは含まれていない。従って、このような場合には、ステップＳ２の処理でＮＯであると判定されて、処理はステップＳ４に進む。ステップＳ４において、録画制御部１４は、優先Ch予約投入処理を実行する。なお、優先Ch予約投入処理の詳細例については、図２２を参照して後述する。
【０２６０】
ここで、図２１のフローチャートを参照して、通常予約投入処理の一例について説明する。
【０２６１】
ステップＳ２１において、録画制御部１４は、録画予約投入指令で指定されている録画予約は、繰り返し予約であるか否かを判定する。
【０２６２】
ステップＳ２１において、繰り返し予約であると判定した場合、録画制御部１４は、ステップＳ２２において、直近の時間帯の予約内容分のみを処理対象に設定する。これにより処理はステップＳ２３に進む。
【０２６３】
なお、繰り返し予約である場合には、ステップＳ２２の処理で処理対象に設定された予約内容分以外の録画予約投入、即ち、それ以降の別の日の各時間帯のそれぞれの予約内容分の録画予約投入については、その直前の時間帯の予約内容分の録画の際に併せて行われる。ただし、このことの詳細については、図３１や図３２等を参照して後述する。
【０２６４】
これに対して、ステップＳ２１において、繰り返し予約ではないと判定された場合、ステップＳ２２の処理は実行されずに、即ち、全予約内容分が処理対象に設定されて、処理はステップＳ２３に進む。
【０２６５】
ステップＳ２３において、録画制御部１４は、HDD１３において、処理対象の予約内容分のデータサイズの領域の確保を試みる。そして、ステップＳ２４において、録画制御部１４は、その確保に成功したか否かを判定する。
【０２６６】
ステップＳ２４において、確保に成功したと判定した場合、録画制御部１４は、ステップＳ２５において、処理対象の予約内容の録画予約投入を行う。これにより、通常予約投入処理は終了となる。即ち、図２０のステップＳ３が終了して、録画予約投入処理自体も終了となる。
【０２６７】
これに対して、ステップＳ２４において、確保に失敗した（成功していない）と判定した場合、録画制御部１４は、ステップＳ２６において、所定のエラーメッセージをテレビジョン受像機５やPC２の再生部３８のディスプレイ等に表示させる。これにより、通常予約投入処理は終了となる。即ち、図２０のステップＳ３が終了して、録画予約投入処理自体も終了となる。この場合、ユーザは、HDD１３内の整理といった適切な処置を施した後、上述した各種の録画予約に伴う操作等を再度行えばよい。
【０２６８】
次に、図２２のフローチャートを参照して、優先Ch予約投入処理の一例について説明する。
【０２６９】
ステップＳ４１において、録画制御部１４は、録画予約投入指令に含まれる予約番組Pkiのチャンネル（図２でいう放送Chであって、図９でいうKch）が優先チャンネルとして設定されているか否かを判定する。
【０２７０】
予約番組Pkiのチャンネルが、チューナ部１１−１乃至１１−８のうちの所定の１つの優先チャンネルに設定されている場合、ステップＳ４１の処理でＹＥＳであると判定され、ステップＳ４２において、優先チャンネルとして予約番組Pkiのチャンネルが設定されているチューナ部１１に対する「通常予約投入処理（図２１参照）」が実行される。これにより、優先Ch予約投入処理は終了となる。即ち、図２０のステップＳ４が終了して、録画予約投入処理自体も終了となる。
【０２７１】
これに対して、予約番組Pkiのチャンネルがチューナ部１１−１乃至１１−８の何れの優先チャンネルにも設定されていない場合、ステップＳ４１の処理でＮＯであると判定されて、処理はステップＳ４３に進む。
【０２７２】
ステップＳ４３において、録画制御部１４は、予約番組Pkiの放送時間帯の中央時刻を中心として、その前後の所定の時間帯△Ｔを設定する。
【０２７３】
ステップＳ４４において、録画制御部１４は、時間帯△Ｔ内において、予約番組Pkiと同一チャンネルの番組が一番多く投入されているチューナを探索する。
【０２７４】
ステップＳ４５において、録画制御部１４は、ステップＳ４４の処理の結果として２以上のチューナが探索されたか否かを判定する。
【０２７５】
具体的には例えば図９の例において、予約番組Pkiとして番組Pk11が採用され、ステップＳ４３の処理で所定の時間帯△Ｔとして時間帯△Ｔ３が設定された場合には、ステップＳ４４の処理で、上述したように１つのチューナ部１１−１のみが探索されることになる。このような場合、ステップＳ４５の処理でＮＯであると判定されて、処理はステップＳ４６に進む。
【０２７６】
ステップＳ４６において、録画制御部１４は、探索された１つのチューナ（図９の例で予約番組Pk11が採用された場合には、チューナ部１１−１）を使用チューナとして設定する。その後処理はステップＳ５０に進む。ただし、ステップＳ５０以降の処理については後述する。
【０２７７】
これに対して、例えば図９の例において、予約番組Pkiとして番組Pk5が採用され、ステップＳ４３の処理で所定の時間帯△Ｔとして時間帯△Ｔ１が設定された場合には、ステップＳ４４の処理で、上述したように２つのチューナ部１１−３，１１−４が探索されることになる。このような場合、ステップＳ４５の処理でＹＥＳであると判定されて、処理はステップＳ４７に進む。
【０２７８】
ステップＳ４７において、録画制御部１４は、△Ｔ＜max△Ｔであるか否かを判定する。max△Ｔとは、所定の閾値（時間長）をいい、本実施の形態では、ユーザによる自在な設定が可能とされている。
【０２７９】
例えば、図９の時間帯△Ｔ１がmax△Ｔよりも短時間の場合、ステップＳ４７の処理でＹＥＳであると判定されて、処理はステップＳ４８に進む。
【０２８０】
ステップＳ４８において、録画制御部１４は、前回よりも長い時間帯となるように時間帯△Ｔを更新する。その後、ステップＳ４４に戻され、それ以降の処理が繰り返される。
【０２８１】
具体的には例えば、予約番組Pkiとして番組Pk5が採用され、ステップＳ４３の処理で所定の時間帯△Ｔとして時間帯△Ｔ１が設定され、その後、上述したように、ステップＳ４４の処理で、２つのチューナ部１１−３，１１−４が探索された結果、ステップＳ４５の処理でＹＥＳであると判定されて、さらに、ステップＳ４７の処理でＹＥＳであると判定されて、処理がステップＳ４８に進んだとする。
【０２８２】
この場合、図９の例では、ステップＳ４８の処理で時間帯△Ｔ２が設定され、処理はステップＳ４４に戻される。そして、ステップＳ４４の処理で、今度は、上述したように１つのチューナ部１１−４のみが探索され、その結果、ステップＳ４５の処理でＮＯであると判定されて、ステップＳ４６の処理で、そのチューナ部１１−４が使用チューナとして設定される。その後、処理はステップＳ５０に進む。
【０２８３】
なお、以上のようなステップＳ４４，Ｓ４５（ＹＥＳ），Ｓ４７（ＹＥＳ），Ｓ４８のループ処理が幾度か繰り返された結果、時間帯△Ｔが閾値max△Ｔを超えると（より正確には図２２の例ではそれ以上になると）、録画制御部１４は、ステップＳ４７の処理でＮＯであると判定して、ステップＳ４９において、所定の１つのチューナを使用チューナとして設定する。即ち、時間帯△Ｔが閾値max△Ｔを超えると、その時点で使用チューナ候補として絞られている２以上のチューナ部１１の中から適当な１つが選択され、選択された１つのチューナ部１１が使用チューナとして設定されるのである。その後、処理はステップＳ５０に進む。
【０２８４】
このようにして、ステップＳ４６またはＳ４９の処理が実行されると、処理はステップＳ５０に進む。
【０２８５】
ステップＳ５０において、録画制御部１４は、HDD１３において、予約番組Pki分（ここでは、予約番組Pkiが、図２１でいう処理対象の予約内容となるため）のデータサイズの領域の確保を試みる。そして、ステップＳ５１において、録画制御部１４は、その確保に成功したか否かを判定する。
【０２８６】
ステップＳ５１において、確保に成功したと判定した場合、録画制御部１４は、ステップＳ５２において、使用チューナ（ステップＳ４６またはＳ４９の処理で設定されたチューナ部１１）に対する予約番組Pkiの録画予約投入を行う。これにより、優先Ch予約投入処理は終了となる。即ち、図２０のステップＳ４が終了して、録画予約投入処理自体も終了となる。
【０２８７】
これに対して、ステップＳ５１において、確保に失敗した（成功していない）と判定した場合、録画制御部１４は、ステップＳ５３において、所定のエラーメッセージをテレビジョン受像機５やPC２の再生部３８のディスプレイ等に表示させる。これにより、優先Ch予約投入処理は終了となる。即ち、図２０のステップＳ４が終了して、録画予約投入処理自体も終了となる。この場合、ユーザは、HDD１３内の整理といった適切な処置を施した後、上述した各種予約に伴う操作等を再度行えばよい。
【０２８８】
以上、録画再生装置１の録画制御部１４の録画予約投入処理例について説明した。
【０２８９】
なお、説明の簡略上、図２０乃至図２２の例では、各録画予約の種類に基づく優先度（図２参照）を無視した場合における録画予約投入処理が示されている。しかしながら、実際には、優先度に基づいて、次のような録画予約投入処理が実行されることになる。
【０２９０】
即ち、個別予約は優先度が１位であるので、個別予約に基づく予約内容（図２１の例でいう処理対象の予約内容のことであり、図２２の例でいう予約番組Pkiのことである）は全て録画予約投入される。
【０２９１】
これに対して、パターン予約は優先度が２位であるので、パターン予約に基づく予約内容で特定される時間帯（ただし、直近の時間帯。即ち、図２１の例のステップＳ２２の処理で処理対象として設定される予約内容により特定される時間帯）の少なくとも一部に、それよりも優先度の高い個別予約に基づく録画予約投入が既になされている場合（録画予約が被っている場合）、録画予約が被っている部分の時間帯の録画予約投入は禁止され、録画予約が被っていない部分の時間帯のみ録画予約投入される。即ち、その録画予約投入の予約内容に基づく録画結果は、例えば図３の録画結果５３−Ｂのようになる。
【０２９２】
また、おまかせ予約は優先度が３位であり、かつ、処理対象の予約内容は基本的に番組単位となるので（図２２の例では予約番組Pkiとなるので）、おまかせ予約に基づく予約番組（予約内容）で特定される時間帯の少なくとも一部に、それよりも優先度の高い個別予約またはパターン予約に基づく録画予約投入が既に設定されている場合（録画予約が被っている場合）、その予約番組全体の録画予約投入は禁止される。即ち、その録画予約投入の内容に基づく録画結果は、例えば図３の録画結果５３−Ａのようになる。
【０２９３】
この場合、録画予約が被ったために録画予約投入が禁止されたこと、或いは、これから録画予約を行うとする番組等の録画予約投入が可能であるか否かといったことが、ユーザに呈示できれば、ユーザは便利である。即ち、現時点の予約内容が確認できると、ユーザは便利である。そこで、本実施の形態では、上述したように、録画パターンビュー８１を用いて、現時点の予約内容が確認できるようになされている。
【０２９４】
具体的には例えば、図２３に示されるように、パターン予約に伴うGUI画像として利用された画像８３はまた、現時点の予約内容の確認画像としても利用できる。
【０２９５】
即ち、この画像８３のタイムテーブル内において、録画するチャンネル（プルダウンメニュー８２に表示され、かつ、領域８１−１において反転表示されているチャンネル）についての現時点の予約内容が表示される。
【０２９６】
具体的には、例えば青色（ただし図２３の例では灰色）が塗られた領域２０１，２０２は、パターン予約に基づく予約内容（以下、投入済みのパターン予約と称する）を示している。
【０２９７】
なお、ユーザは、例えば、青色が塗られた領域２０１，２０２内にマウスのポインタを配置させた後にいわゆるマウスのダブルクリック操作を行うことで、上述した図１４のダイアログ９１を表示させ、そのダイアログ９１を利用して、投入済みのパターン予約の予約内容の設定更新を行うことも可能である。
【０２９８】
また、赤色（ただし、図２３の例では灰色）の枠２１１乃至２１３は、個別予約に基づく予約内容（以下、投入済みの個別予約と称する）を示している。ただし、枠２１１乃至２１３のそれぞれで示される投入済みの個別予約とは、今週またはそれ以降の1以上の週のうち、土、金、水曜日のそれぞれに当たる日が録画予定日付とされている個別予約である。即ち、パターン予約に伴うGUI画像として利用された画像８３では、個別予約は、１回だけの予約と繰り返し予約とにかかわらず、録画予定日付の情報は落とされ、録画予定の所定の曜日の所定の時間帯のみを囲む赤色の枠として表示される。従って、ユーザは、この赤色の枠２１１乃至２１３のそれぞれで囲まれる時間帯では、今週またはそれ以降の１以上の週において、パターン予約に基づく録画は行われない（禁止される）可能性があることを容易に視認できる。この場合、何れの週が、パターン予約に基づく録画は行われないのか（禁止されるのか）を確認する方法、即ち、個別予約の具体的な録画予定日付の確認方法については、図２４と図２５を参照して後述する。
【０２９９】
また、緑色（ただし、図２３の例では灰色）の枠２１４，２１５は、おまかせ予約に基づく予約内容（以下、投入済みのおまかせ予約と称する）を示している。上述したように、おまかせ予約に基づく予約番組は、投入済みのパターン予約とは重ねて録画予約投入できないので、投入済みのおまかせ予約を示す緑色の枠（図２３の例では枠２１４，２１５）は、投入済みのパターン予約を示す青色で塗られた領域（図２３の例では領域２０１，２０２）の範囲外に表示されることになる。換言すると、ユーザは、この緑色の枠２１４，２１５で囲まれる時間帯に対して、パターン予約または個別予約に基づく新たな録画予約投入を行わせてしまうと、対応する投入済みのおまかせ予約が消去されてしまうことを容易に視認できる。
【０３００】
また、オレンジ色（ただし、図２３の例では灰色）の枠２１６は、現在録画中の番組を示している。
【０３０１】
また例えば、図２４に示されるように、個別予約に伴うGUI画像として利用された画像１０１もまた、現時点の予約内容の確認画像としても利用できる。
【０３０２】
即ち、この画像１０１のタイムテーブルは、上述したように、特定の週についてのタイムテーブルである。従って、この画像１０１のタイムテーブルにおいては、録画するチャンネル（プルダウンメニュー８２に表示され、かつ、領域８１−１において反転表示されているチャンネル）についての現時点の予約内容のうちの、そのタイムテーブルに示される特定の週についての予約内容のみが表示される。即ち、図２４の例では、9/12(月)乃至9/18（日）についての、Gch（後述するように、より正確には、Gchを優先チャンネルとするチューナ部１１−７）の現時点の予約内容のみが表示されている。
【０３０３】
具体的には、投入済みのパターン予約は、今度は青色（ただし図２４の例では灰色）の枠３０１，３０２として表示される。
【０３０４】
また、投入済みの個別予約は、今度は赤色（ただし、図２４の例では灰色）で塗られた領域３１１，３１３として表示される。
【０３０５】
即ち、図２３と図２４とを比較するに、図２３の赤色の枠２１１，２１３は、図２４の赤色で塗られた領域３１１，３１３に対応していることがわかる。従って、ユーザは、図２３の赤色の枠２１１，２１３のそれぞれで示される個別予約の具体的な録画予定日付とは、図２４の画像１０１の領域３１１，３１３のそれぞれの表示から、9/17(土)，9/16(金)のそれぞれである、ということが容易に視認できる。即ち、ユーザは、9/17(土)の領域３１１で示される時間帯（9:00乃至13:00）においては、パターン予約に基づく録画は行われない（禁止される）ことを容易に認識できる。同様に、ユーザは、9/16(金)の領域３１３で示される時間帯（21:00乃至1:00）においては、パターン予約に基づく録画は行われない（禁止される）ことを容易に認識できる。
【０３０６】
なお、より正確には、Gchではなく、Gchを優先チャンネルとするチューナ部１１−７についての現時点の予約内容が、画像１０１のタイムテーブルに示されている。従って、赤色で塗られた領域３１１，３１３で示される投入済みの個別予約は、Gchの番組の録画予約の場合もあるが、それ以外のチャンネルの録画予約の場合もある。
【０３０７】
また、図２３と図２４とを比較するに、図２３の赤色の枠２１２に対応する領域は、図２４の画像１０１のタイムテーブルには表示されていないことがわかる。従って、ユーザは、図２３の赤色の枠２１２で示される個別予約の具体的な録画予定日付とは、9/14(水)以外である、ということが容易に視認できる。即ち、ユーザは、9/14(水)の赤色の枠２１２（図２３）で示される時間帯のうちの、青色で塗られた領域２０２（図２３）と重なる時間帯（21:00乃至23:00）においては、パターン予約に基づく録画は行われる（許可される）ことを容易に認識できる。
【０３０８】
この場合、ユーザは、図２３の赤色の枠２１２で示される個別予約の具体的な録画予定日付を確認したいときには、図２４の画像１０１を表示させた上で、「次週」ボタン１０３またはプルダウンメニュー１０４を利用して、赤色の枠２１２に対応する領域が表示されるまで、タイムテーブルの表示更新を行えばよい。
【０３０９】
具体的には例えば、図２５に示されるように、9/19（月）乃至9/25（日）についてのタイムテーブルが画像１０１に表示されたときに、赤色の枠２１２に対応する赤色で塗られた領域４１３が表示される。従って、ユーザは、図２３の赤色の枠２１３で示される個別予約の具体的な録画予定日付とは、図２５の画像１０１の赤色で塗られた領域４１３の表示から、9/21(水)である、ということが容易に視認できる。即ち、ユーザは、9/21(水)の領域４１２で示される時間帯のうちの、投入済みのパターン予約を示す青色の枠３０２と重なっている時間帯（21:00乃至23:00）においては、パターン予約に基づく録画は行われない（禁止される）ことを容易に認識できる。
【０３１０】
また、図２５の赤色で塗られた領域４１３と、図２４の赤色で塗られた領域３１３とは、時間帯が一致しているので、領域４１３，３１３で特定される投入済みの個別予約とは、即ち、図２３の赤色の枠２１３で特定される投入済みの個別予約とは、繰り返し予約である、ということもユーザは容易に視認できる。
【０３１１】
なお、ユーザは、例えば、赤色で塗られた領域（図２４の領域３１１，３１３や、図２５の領域４１２，４１３等）内にマウスのポインタを配置させた後にいわゆるマウスのダブルクリック操作を行うことで、上述した図１６のダイアログ１１１を表示させ、そのダイアログ１１１を利用して、投入済みの個別予約の予約内容の設定更新を行うことも可能である。
【０３１２】
また、図２４のオレンジ色（ただし、図２４の例では灰色）で塗られた領域３１６は、現在録画中の番組を示している。即ち、ユーザは、領域３１６を見ることで、この時間帯（9/13（火）の22:00乃至23:00）については、個別予約を含め如何なる種類の録画予約に基づく録画予約投入は一切行えないことが容易に視認できる。即ち、本実施の形態では、録画中の番組は、録画予約の種類による優先順位は関係なくなり、たとえ優先順位が最高位（1位）の個別予約に基づく録画予約投入であっても、それを拒否できる立場となる。
【０３１３】
また、図２４の緑色（ただし、図２４の例では灰色）の枠３１４は、図２３の緑色の枠２１４に対応しており、図２５の緑色（ただし、図２５の例では灰色）の枠４１５は、図２３の緑色の枠２１５に対応している。即ち、画像１０１においても、緑色の枠３１４，４１５は、投入済みのおまかせ予約を示している。
【０３１４】
なお、おまかせ予約に基づく録画予約投入に伴うユーザ操作は、上述したように不要である。そのため、録画おまかせ予約に基づく録画予約投入に伴うユーザ操作のためのGUI画像自体は、録画パターンビュー８１に設けられていない。ただし、おまかせ予約に基づく録画予約投入処理の結果、即ち、投入済みのおまかせ予約の予約内容を確認したり、その予約内容の設定更新を行うために必要なユーザ操作を可能とするために、図２６と図２７に示される画像４０１が、録画パターンビュー８１にさらに設けられている。
【０３１５】
かかる図２６と図２７の画像４０１は、基本的に図２４と図２５の画像１０１と同様の予約内容が表示される。即ち、図２６のタイムテーブルは図２４のタイムテーブルに対応しており、図２７のタイムテーブルは図２５のタイムテーブルに対応している。
【０３１６】
ただし、画像４０１においては、投入済みのおまかせ予約が着目されているため、投入済みのおまかせ予約は、緑色（図２６と図２７では灰色）で塗られた領域５１４（図２６），６１５（図２７）で表示される。
【０３１７】
この場合、特に図示はしないが、ユーザは、例えば、緑色で塗られた領域（図２６の領域５１４や、図２７の領域６１５等）内にマウスのポインタを配置させた後にいわゆるマウスのダブルクリック操作を行うことで、所定のダイアログを表示させ、そのダイアログを利用して、投入済みのおまかせ予約の予約内容の設定更新を行うことも可能である。
【０３１８】
一方、画像４０１においては、投入済みの個別予約は、赤色（図２６と図２７では灰色）の枠５１１，５１３（図２６），６１２，６１３（図２７）で表示される。また、投入済みのパターン予約は青色（図２６と図２７では灰色）の枠５０１，５０２（図２６，図２７）で表示され、現在録画中の番組はオレンジ色（図２６では灰色）の枠５１６で表示される。
【０３１９】
以下、例えばPC２の再生制御部３７（図１）が、これらの確認画像を録画パターンビュー８１内に表示させる場合の処理の一例について説明する。即ち、録画パターンビュー８１自体は、再生部３８のディスプレイ等に既に表示された状態で、その中に所定の確認画像を表示させる場合の処理の一例について説明する。
【０３２０】
図２８のフローチャートは、図２３の画像８３のタイムテーブル内に予約内容を表示させる場合の処理（以下、パターン予約表示処理と称する）の一例を示している。
【０３２１】
ステップＳ６１において、再生制御部３７は、投入済みの予約をひとつ取り出す。ここで、投入済みの予約をひとつ取り出すとは、録画再生装置１のＨＤＤ１３またはＰＣ２のＨＤＤ３４に記憶されている現時点の予約内容のうちの、所定の１つの予約内容（１回の録画予約投入処理により投入された予約内容）を取得することをいう。
【０３２２】
ステップＳ６２において、再生制御部３７は、その録画予約の種類がパターン予約であるか否かを判定する。
【０３２３】
ステップＳ６２において、パターン予約であると判定した場合、再生制御部３７は、ステップＳ６３において、再生部３８のディスプレイ上の画像８３（図２３）のタイムテーブル内に、曜日と時間とに基づいて予約領域を青塗りの四角（図２３の説明で言う青色で塗られた領域）で表示する。その後、処理はステップＳ６８に進む。ただし、ステップＳ６８以降の処理については後述する。
【０３２４】
これに対して、ステップＳ６２において、パターン予約ではないと判定された場合、処理はステップＳ６４に進む。
【０３２５】
ステップＳ６４において、再生制御部３７は、その録画予約の種類がおまかせ予約であるか否かを判定する。
【０３２６】
ステップＳ６４において、おまかせ予約であると判定した場合、再生制御部３７は、ステップＳ６５において、画像８３のタイムテーブル内に、曜日と時間とに基づいて予約領域を緑色の枠で表示する。その後、処理はステップＳ６８に進む。ただし、ステップＳ６８以降の処理については後述する。
【０３２７】
これに対して、ステップＳ６４において、おまかせ予約ではないと判定された場合、処理はステップＳ６６に進む。
【０３２８】
ステップＳ６６において、再生制御部３７は、その録画予約の種類が個別予約であるか否かを判定する。
【０３２９】
ステップＳ６６において、個別予約であると判定した場合、再生制御部３７は、ステップＳ６７において、画像８３のタイムテーブル内に、曜日と時間とに基づいて予約領域を赤色の枠で表示する。その後、処理はステップＳ６８に進む。ただし、ステップＳ６８以降の処理については後述する。
【０３３０】
これに対して、ステップＳ６６において、個別予約ではないと判定された場合、処理はステップＳ６８に進む。
【０３３１】
ただし、本実施の形態では、録画予約の種類は、パターン予約、おまかせ予約、および個別予約しか存在しないので（図２参照）、ステップＳ６６において、個別予約ではないと判定されることはない。即ち、本実施の形態では、ステップ６３，Ｓ６５，またはＳ６７の処理の実行後に、処理はステップＳ６８に進む。
【０３３２】
ステップＳ６８において、再生制御部３７は、全予約の表示が終了したか否かを判定する。
【０３３３】
ステップＳ６８において、全予約の表示が終了していないと判定された場合、処理はステップＳ６１に戻され、それ以降の処理が繰り返される。
【０３３４】
即ち、投入済みの予約（各予約内容）ひとつずつに対して、ステップＳ６１乃至Ｓ６８の処理が実行され、その度に、対応する予約領域がタイムテーブルに表示されていく。そして、全ての投入済みの予約に対応する予約領域がタイムテーブルに表示されると、ステップＳ６８の処理でＹＥＳであると判定されて、処理はステップＳ６９に進む。
【０３３５】
ステップＳ６９において、再生制御部３７は、現在録画中であるか否かを判定する。
【０３３６】
ステップＳ６９において、現在録画中であると判定した場合、再生制御部３７は、ステップＳ７０において、画像８３のタイムテーブル内に、曜日と時間とに基づいて、録画内容に対応する予約領域をオレンジ色の枠で表示する。これにより、パターン予約表示処理は終了となる。
【０３３７】
また、ステップＳ６９において、現在録画中でないと判定された場合、ステップＳ７０の処理は実行されずに、即ち、オレンジ色の枠は表示されずに、パターン予約表示処理は終了となる。
【０３３８】
このような図２８のフローチャートに対して、図２９のフローチャートは、図２４や図２５の画像１０１の特定の週のタイムテーブル内に現時点の予約内容を表示させる場合の処理（以下、個別予約表示処理と称する）の一例を示している。
【０３３９】
ステップＳ８１において、再生制御部３７は、投入済みの予約をひとつ取り出す。
【０３４０】
ステップＳ８２において、再生制御部３７は、その録画予約は表示対象の週の予約であるか否かを判定する。表示対象の週とは、画像１０１のタイムテーブルで特定される週、即ち、そのタイムテーブルの横軸に示される週をいう。
【０３４１】
ステップＳ８２において、表示対象の週の予約ではないと判定された場合、処理はステップＳ８１に戻され、それ以降の処理が繰り返される。
【０３４２】
これに対して、ステップＳ８２において、表示対象の週の予約であると判定された場合、処理はステップＳ８３に進む。
【０３４３】
ステップＳ８３において、再生制御部３７は、その録画予約の種類がパターン予約であるか否かを判定する。
【０３４４】
ステップＳ８３において、パターン予約であると判定した場合、再生制御部３７は、ステップＳ８４において、再生部３８のディスプレイ上の画像１０１（図２４や図２５）のタイムテーブル内に、曜日と時間とに基づいて予約領域を青色の枠で表示する。その後、処理はステップＳ８９に進む。ただし、ステップＳ８９以降の処理については後述する。
【０３４５】
これに対して、ステップＳ８３において、パターン予約ではないと判定された場合、処理はステップＳ８５に進む。
【０３４６】
ステップＳ８５において、再生制御部３７は、その録画予約の種類がおまかせ予約であるか否かを判定する。
【０３４７】
ステップＳ８５において、おまかせ予約であると判定した場合、再生制御部３７は、ステップＳ８６において、画像１０１のタイムテーブル内に、曜日と時間とに基づいて予約領域を緑色の枠で表示する。その後、処理はステップＳ８９に進む。ただし、ステップＳ８９以降の処理については後述する。
【０３４８】
これに対して、ステップＳ８５において、おまかせ予約ではないと判定された場合、処理はステップＳ８７に進む。
【０３４９】
ステップＳ８７において、再生制御部３７は、その録画予約の種類が個別予約であるか否かを判定する。
【０３５０】
ステップＳ８７において、個別予約であると判定した場合、再生制御部３７は、ステップＳ８８において、画像１０１のタイムテーブル内に、曜日と時間とに基づいて予約領域を赤塗りの四角（図２４や図２５の説明でいう赤色で塗られた領域）で表示する。その後、処理はステップＳ８９に進む。ただし、ステップＳ８９以降の処理については後述する。
【０３５１】
これに対して、ステップＳ８７において、個別予約ではないと判定された場合、処理はステップＳ８９に進む。
【０３５２】
ただし、ステップＳ８７において、個別予約ではないと判定されることは、上述したように本実施の形態では無い。即ち、本実施の形態では、ステップ８４，Ｓ８６，またはＳ８８の処理の実行後に、処理はステップＳ８９に進む。
【０３５３】
ステップＳ８９において、再生制御部３７は、全予約の表示が終了したか否かを判定する。
【０３５４】
ステップＳ８９において、全予約の表示が終了していないと判定された場合、処理はステップＳ８１に戻され、それ以降の処理が繰り返される。
【０３５５】
即ち、投入済みの予約（各予約内容）ひとつずつに対して、ステップＳ８１乃至Ｓ８９の処理が実行され、その度に、対応する予約領域がタイムテーブルに表示されていく。そして、全ての投入済みの予約に対応する予約領域がタイムテーブルに表示されると、ステップＳ８９の処理でＹＥＳであると判定されて、処理はステップＳ９０に進む。
【０３５６】
ステップＳ９０において、再生制御部３７は、現在録画中であるか否かを判定する。
【０３５７】
ステップＳ９０において、現在録画中でないと判定された場合、個別予約表示処理は終了となる。
【０３５８】
これに対して、ステップＳ９０において、現在録画中であると判定した場合、再生制御部３７は、ステップＳ９１において、今週の予約内容（今週のタイムテーブル）を表示中であるか否かを判定する。
【０３５９】
ステップＳ９１において、今週の予約内容を表示中でないと判定された場合（来週以降のタイムテーブルが表示されている場合）、個別予約表示処理は終了となる。
【０３６０】
これに対して、ステップＳ９１において、今週の予約内容を表示中であると判定した場合（今週のタイムテーブルが表示されている場合）、再生制御部３７は、ステップＳ９２において、画像１０１のタイムテーブル内に、曜日と時間とに基づいて、録画内容に対応する予約領域をオレンジ色の四角（図２４や図２５の説明でいうオレンジ色で塗られた領域）で表示する。これにより、個別予約表示処理は終了となる。
【０３６１】
このような図２８や図２９のフローチャートに対して、図３０のフローチャートは、図２６や図２７の画像４０１の特定の週のタイムテーブル内に現時点の予約内容を表示させる場合の処理（以下、おまかせ予約表示処理と称する）の一例を示している。
【０３６２】
ステップＳ１０１において、再生制御部３７は、投入済みの予約をひとつ取り出す。
【０３６３】
ステップＳ１０２において、再生制御部３７は、その録画予約は表示対象の週の予約であるか否かを判定する。表示対象の週とは、画像４０１のタイムテーブルで特定される週、即ち、そのタイムテーブルの横軸に示される週をいう。
【０３６４】
ステップＳ１０２において、表示対象の週の予約ではないと判定された場合、処理はステップＳ１０１に戻され、それ以降の処理が繰り返される。
【０３６５】
これに対して、ステップＳ１０２において、表示対象の週の予約であると判定された場合、処理はステップＳ１０３に進む。
【０３６６】
ステップＳ１０３において、再生制御部３７は、その録画予約の種類がパターン予約であるか否かを判定する。
【０３６７】
ステップＳ１０３において、パターン予約であると判定した場合、再生制御部３７は、ステップＳ１０４において、再生部３８のディスプレイ上の画像４０１（図２６や図２７）のタイムテーブル内に、曜日と時間とに基づいて予約領域を青色の枠で表示する。その後、処理はステップＳ１０９に進む。ただし、ステップＳ１０９以降の処理については後述する。
【０３６８】
これに対して、ステップＳ１０３において、パターン予約ではないと判定された場合、処理はステップＳ１０５に進む。
【０３６９】
ステップＳ１０５において、再生制御部３７は、その録画予約の種類がおまかせ予約であるか否かを判定する。
【０３７０】
ステップＳ１０５において、おまかせ予約であると判定した場合、再生制御部３７は、ステップＳ１０６において、画像４０１のタイムテーブル内に、曜日と時間とに基づいて予約領域を緑塗りの四角（図２６や図２７の説明でいう緑色で塗られた領域）で表示する。その後、処理はステップＳ１０９に進む。ただし、ステップＳ１０９以降の処理については後述する。
【０３７１】
これに対して、ステップＳ１０５において、おまかせ予約ではないと判定された場合、処理はステップＳ１０７に進む。
【０３７２】
ステップＳ１０７において、再生制御部３７は、その録画予約の種類が個別予約であるか否かを判定する。
【０３７３】
ステップＳ１０７において、個別予約であると判定した場合、再生制御部３７は、ステップＳ１０８において、画像４０１のタイムテーブル内に、曜日と時間とに基づいて予約領域を赤色の枠で表示する。その後、処理はステップＳ１０９に進む。ただし、ステップＳ１０９以降の処理については後述する。
【０３７４】
これに対して、ステップＳ１０７において、個別予約ではないと判定された場合、処理はステップＳ１０９に進む。
【０３７５】
ただし、ステップＳ１０７において、個別予約ではないと判定されることは、上述したように本実施の形態では無い。即ち、本実施の形態では、ステップ１０４，Ｓ１０６，またはＳ１０８の処理の実行後に、処理はステップＳ１０９に進む。
【０３７６】
ステップＳ１０９において、再生制御部３７は、全予約の表示が終了したか否かを判定する。
【０３７７】
ステップＳ１０９において、全予約の表示が終了していないと判定された場合、処理はステップＳ１０１に戻され、それ以降の処理が繰り返される。
【０３７８】
即ち、投入済みの予約（各予約内容）ひとつずつに対して、ステップＳ１０１乃至Ｓ１０９の処理が実行され、その度に、対応する予約領域がタイムテーブルに表示されていく。そして、全ての投入済みの予約に対応する予約領域がタイムテーブルに表示されると、ステップＳ１０９の処理でＹＥＳであると判定されて、処理はステップＳ１１０に進む。
【０３７９】
ステップＳ１１０において、再生制御部３７は、現在録画中であるか否かを判定する。
【０３８０】
ステップＳ１１０において、現在録画中でないと判定された場合、おまかせ予約表示処理は終了となる。
【０３８１】
これに対して、ステップＳ１１０において、現在録画中であると判定した場合、再生制御部３７は、ステップＳ１１１において、今週の予約内容（今週のタイムテーブル）を表示中であるか否かを判定する。
【０３８２】
ステップＳ１１１において、今週の予約内容を表示中でないと判定された場合（来週以降のタイムテーブルが表示されている場合）、おまかせ予約表示処理は終了となる。
【０３８３】
これに対して、ステップＳ１１１において、今週の予約内容を表示中であると判定した場合（今週のタイムテーブルが表示されている場合）、再生制御部３７は、ステップＳ１１２において、画像４０１のタイムテーブル内に、曜日と時間とに基づいて、録画内容に対応する予約領域をオレンジ色の枠で表示する。これにより、おまかせ予約表示処理は終了となる。
【０３８４】
次に、図３１のフローチャートを参照して、録画再生装置１の録画制御部１４（図１）が実行する処理のうちの、上述した各録画予約投入処理の結果である予約内容（上述した各予約表示処理で表示される各予約内容）に従った録画処理の一例について説明する。
【０３８５】
ステップＳ１２１において、録画制御部１４は、録画のイベントが発生したか否かを判定する。
【０３８６】
ステップＳ１２１において、録画のイベントが発生していないと判定された場合、処理はステップＳ１２１に戻され、録画のイベントが発生したか否かが再度判定される。即ち、録画のイベントが発生するまでの間、ステップＳ１２１の判定処理が繰り返されることで、録画処理が待機状態となる。
【０３８７】
なお、本実施の形態では、録画再生装置１のＨＤＤ１３に記憶されている現時点の予約内容のうちの、所定の１つの予約内容（１回の録画予約投入処理の結果として登録された予約内容）に含まれる録画開始時刻と、現在時刻とがほぼ一致したとき（厳密には現在時刻が、録画開始時刻よりも若干前の時刻となったとき）、ステップＳ１２１において、録画のイベントが発生したと判定され、処理はステップＳ１２２に進む。
【０３８８】
ステップＳ１２２において、録画制御部１４は、個別予約（図２参照）による録画のイベントであるか否かを判定する。
【０３８９】
ステップＳ１２２において、個別予約による録画のイベントではないと判定した場合、即ち、パターン予約またはおまかせ予約（図２参照）による録画のイベントであると判定した場合、録画制御部１４は、ステップＳ１２３において、予約内容に従った録画を行うように制御する。その後、処理はステップＳ１３１に進む。ただし、ステップＳ１３１以降の処理については後述する。
【０３９０】
これに対して、ステップＳ１２２において、個別予約による録画のイベントであると判定された場合、処理はステップＳ１２４に進む。
【０３９１】
ステップＳ１２４において、録画制御部１４は、その個別予約が繰り返し予約であるか否かを判定する。
【０３９２】
ステップＳ１２４において、繰り返し予約ではないと判定した場合、録画制御部１４は、ステップＳ１３０において、予約内容に従った録画を行うように制御する。その後、処理はステップＳ１３１に進む。ただし、ステップＳ１３１以降の処理については後述する。
【０３９３】
これに対して、ステップＳ１２４において、繰り返し予約ではないと判定した場合、録画制御部１４は、ステップＳ１２５において、HDD１３において、次回の予約内容分（今回の録画対象の予約内容と同時間帯での別の日の予約のうちの、直近の日の予約内容の分）のデータサイズの領域の確保を試みる。そして、ステップＳ１２６において、録画制御部１４は、その確保に成功したか否かを判定する。
【０３９４】
ステップＳ１２６において、確保に成功したと判定した場合、録画制御部１４は、ステップＳ１２７において、次回の予約内容の録画予約投入を行った後、ステップＳ１３０において、今回の予約内容に従った録画を行うように制御する。その後、処理はステップＳ１３１に進む。ただし、ステップＳ１３１以降の処理については後述する。
【０３９５】
これに対して、ステップＳ１２６において、確保に失敗した（成功していない）と判定した場合、録画制御部１４は、ステップＳ１２８において、予約エラーとして登録し、ステップＳ１２９において、Infoランプ２０を点灯させる。その後、録画制御部１４は、ステップＳ１３０において、今回の予約内容に従った録画を行うように制御して、処理をステップＳ１３１に進める。
【０３９６】
このようにして、ステップＳ１２３またはＳ１３０により録画が行われると、処理はステップＳ１３１に進む。
【０３９７】
ステップＳ１３１において、録画制御部１４は、処理の終了が指示されたか否かを判定する。
【０３９８】
ステップＳ１３１において、処理の終了が指示されていないと判定された場合、処理はステップＳ１２１に戻され、それ以降の処理が繰り返される。
【０３９９】
これに対して、ステップＳ１３１において、処理の終了が指示されたと判定された場合、録画処理は終了となる。
【０４００】
以上説明したように、本実施の形態では、予約の種類は図２に示される３種類に大別できるが、ここで、予約の種類を別の角度から分類し直すと、１回のみ録画を行う予約（以下、単発予約と称する）と、２日以上同時間帯で繰り返し録画を行う繰り返し予約とに大別できる。
【０４０１】
この場合、繰り返し予約については、録画予約投入処理（図２１の通常予約投入処理）が実行される際には、最初の日の時間帯（図２１でいう直近の時間帯）の予約内容のみが録画予約投入され（図２１のステップＳ２２等参照）、それ以降の別の日の時間帯の予約内容は録画予約投入されない。
【０４０２】
それ以降の別の日の時間帯の予約内容については、その直前の時間帯の予約内容の録画が行われる際に録画予約投入が行われる（図３１のステップＳ１２７等参照）。
【０４０３】
ところが、その直前の時間帯の予約内容の録画が行われているときに、録画再生装置１やＰＣ２の付近にユーザが存在するとは限らない。従って、本実施の形態では、ＨＤＤ１３の領域の確保が失敗して、録画予約投入が行われなかった場合（図３１のステップＳ１２６の処理でＮＯと判定された場合）、その旨を、後ほど録画再生装置１の付近に移動するであろうユーザに対して通知すべく、Infoランプ２０を点灯させる（図３１のステップＳ１２９）のである。
【０４０４】
ユーザは、このInfoランプ２０が点灯していることを視認することで、録画再生装置１がユーザに対して通知したい内容を何かしら有していることを認識できる。そこで、ユーザは、リモートコントロール６等を操作して、Infoランプ２０の点灯理由、即ち、録画再生装置１が通知したい内容をテレビジョン受像機５等に表示させ、その点灯理由（通知したい内容）に応じた適切な処置を施せばよい。
【０４０５】
ただし、本実施の形態では、Infoランプ２０の点灯理由は、録画予約投入の失敗に限定されているので、ユーザは、Infoランプ２０の点灯を視認した場合、例えばPC２を利用した所定の操作を行い、録画予約投入が失敗した予約内容（以下、エラー予約内容と称する）とは何れの予約内容であるのかを確認し、HDD１３内の整理といった適切な処置を施した後、エラー予約内容の録画予約投入の再指示操作を行えばよい。
【０４０６】
この場合、PC２の録画制御部３６は、かかる再指示操作に基づく録画予約投入指令（以下、再投入指令と称する）を生成して、録画再生装置１に対して発行する。
【０４０７】
一方、録画再生装置１の録画制御部１４は、この間、即ち、図３１のステップＳ１２９の処理でInfoランプ２０を点灯させた以降の間、例えば図３２のフローチャートに従った録画予約投入処理（以下Infoランプ点灯後の予約投入処理と処理）を実行する。
【０４０８】
即ち、ステップＳ１４１において、録画制御部１４は、エラー予約内容（ここでは図３１のステップＳ１２５でいう次回の予約内容のこと）の再投入指令がなされたか否かを判定する。
【０４０９】
上述した再投入指令がPC２から発行されるまでの間、ステップＳ１４１の処理でＮＯであると判定されて、処理はステップＳ１４１に戻され、エラー予約内容の再投入指令がなされたか否かが再度判定される。即ち、この間、Infoランプ２０は点灯し続ける。
【０４１０】
その後、infoランプ２０の点灯に気付いたユーザによる再指示操作に基づいて、再投入指令がPC2から発行されると、ステップＳ１４１の処理でＹＥＳであると判定されて、処理はステップＳ１４２に進む。
【０４１１】
ステップＳ１４２において、録画制御部１４は、HDD１３において、エラー予約内容分のデータサイズの領域の確保を試みる。そして、ステップＳ１４３において、録画制御部１４は、その確保に成功したか否かを判定する。
【０４１２】
ステップＳ１４３において、確保に成功したと判定した場合、録画制御部１４は、ステップＳ１４４において、エラー予約内容の録画予約投入を行う。そして、録画制御部１４は、ステップＳ１４５において、予約エラーを削除し、ステップＳ１４６において、Infoランプ２０を消灯させる。これにより、Infoランプ点灯後の予約投入処理は終了となる。
【０４１３】
これに対して、ステップＳ１４３において、確保に失敗した（成功していない）と判定した場合、録画制御部１４は、ステップＳ１４７において、所定のエラーメッセージをテレビジョン受像機５やPC２の再生部３８のディスプレイ等に表示させる。これにより、Infoランプ点灯後の予約投入処理は終了となる。この場合、ユーザは、録画再生装置１やＰＣ２の付近に存在するので、HDD１３内の整理といった適切な処置を再度施した後、エラー予約内容の録画予約投入の再指示操作をさらにもう一度行えばよい。すると、再投入指令がもう一度発行されるので、その結果、Infoランプ点灯後の予約投入指令がもう一度実行されることになる。
【０４１４】
ところで、上述したように、録画再生装置１（図１）が有する機能のうちの、チューナ部１１とエンコード部１２とが有する機能（放送番組受信録画機能）を除く機能と同様の機能をPC2は備えている。従って、上述した一連の処理は、録画再生装置１で実行させることもできるし、PC２で実行させることもできる。
【０４１５】
さらに、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０４１６】
図３３は、上述した一連の処理をプログラムにより実行するパーソナルコンピュータの構成の例を示すブロック図である。即ち、上述した図１の録画再生装置１の全体または一部分（例えば上述した録画制御部１４等）は、図３３の構成のパーソナルコンピュータとして構成することもできる。また、図１のPC２全体も、図３３のように構成することができる。
【０４１７】
図３３において、CPU（Central Processing Unit）７０１は、ROM（Read Only Memory）７０２、または記憶部７０８に記憶されているプログラムに従って各種の処理を実行する。RAM（Random Access Memory）７０３には、CPU７０１が実行するプログラムやデータなどが適宜記憶される。これらのCPU７０１、ROM７０２、およびRAM７０３は、バス７０４により相互に接続されている。
【０４１８】
CPU７０１にはまた、バス７０４を介して入出力インタフェース７０５が接続されている。入出力インタフェース７０５には、キーボード、マウス、マイクロホンなどよりなる入力部７０６、ディスプレイ、スピーカなどよりなる出力部７０７が接続されている。CPU７０１は、入力部７０６から入力される指令に対応して各種の処理を実行する。そして、CPU７０１は、処理の結果を出力部７０７に出力する。
【０４１９】
入出力インタフェース７０５に接続されている記憶部７０８は、例えばハードディスクからなり、CPU７０１が実行するプログラムや各種のデータを記憶する。通信部７０９は、インターネットやローカルエリアネットワークなどのネットワークを介して外部の装置と通信する。
【０４２０】
また、通信部７０９を介してプログラムを取得し、記憶部７０８に記憶してもよい。
【０４２１】
入出力インタフェース７０５に接続されているドライブ７１０は、磁気ディスク、光ディスク、光磁気ディスク、或いは半導体メモリなどのリムーバブルメディア７１１が装着されたとき、それらを駆動し、そこに記録されているプログラムやデータなどを取得する。取得されたプログラムやデータは、必要に応じて記憶部７０８に転送され、記憶される。
【０４２２】
また、ドライブ７１０は、リムーバブルメディア７１１が装着されたとき、それらを駆動し、そこにデータなどを記録することもできる。
【０４２３】
コンピュータにインストールされ、コンピュータによって実行可能な状態とされるプログラムを格納するプログラム記録媒体は、図３３に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア７１１、または、プログラムが一時的もしくは永続的に格納されるROM７０２や、記憶部７０８を構成するハードディスクなどにより構成される。プログラム記録媒体へのプログラムの格納は、必要に応じてルータ、モデムなどのインタフェースである通信部７０９を介して、ローカルエリアネットワーク、インターネット、デジタル衛星放送といった、有線または無線の通信媒体を利用して行われる。
【０４２４】
また、コンテンツ（放送番組）の記録先は、上述した例ではＨＤＤとされたが、上述した例には特に限定されず、例えばリムーバブルメディア７１１などでも構わない。
【０４２５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０４２６】
また、本明細書において、システムとは、複数の装置により構成される装置全体を表すものである。
【図面の簡単な説明】
【０４２７】
【図１】本発明が適用される情報処理システムの機能的構成例を示す機能ブロック図である。
【図２】図１の録画再生装置で実現可能な録画予約の種類の例を説明する図である。
【図３】図２の優先度に基づく録画結果の例を説明する図である。
【図４】図２のパターン予約の簡易入力予約に伴うユーザ操作において利用されるダイアログの例を示す図である。
【図５】図２のパターン予約の簡易入力予約に伴うユーザ操作において利用されるダイアログの例を示す図である。
【図６】図２のパターン予約の簡易入力予約に伴うユーザ操作において利用されるダイアログの例を示す図である。
【図７】優先チャンネルの概念を説明する図であって、優先チャンネルを採用していない場合の図である。
【図８】優先チャンネルの概念を説明する図であって、優先チャンネルを採用している場合の図である。
【図９】優先チャンネルに設定されていないチャンネルの番組の録画手法の概念を説明する図である。
【図１０】所定のチューナについての優先チャンネルの設定時に表示されるダイアログの例を示す図である。
【図１１】所定のチューナについての優先チャンネルの変更時に表示されるダイアログの例を示す図である。
【図１２】所定のチューナについての優先チャンネルの削除時に表示されるダイアログの例を示す図である。
【図１３】図２のパターン予約の録画パターンビュー予約に伴うユーザ操作において利用される録画パターンビューの例を示す図である。
【図１４】図２のパターン予約の録画パターンビュー予約に伴うユーザ操作において利用されるダイアログの例を示す図である。
【図１５】図２の個別予約の手動予約に伴うユーザ操作において利用される録画パターンビューの例を示す図である。
【図１６】図２の個別予約の手動予約に伴うユーザ操作において利用されるダイアログの例を示す図である。
【図１７】図２の個別予約の番組予約に伴うユーザ操作において利用される、図２のサービス提供サーバのWebサイトに含まれる電子番組表の例を示す図である。
【図１８】図２の個別予約の番組予約に伴うユーザ操作において利用されるダイアログの例を示す図である。
【図１９】図２の個別予約のリモート予約を実現させるためのユーザの準備操作において利用されるダイアログの例を示す図である。
【図２０】録画予約投入処理の例を説明するフローチャートである。
【図２１】図２０の録画予約投入処理のうちの通常予約投入処理の詳細例を説明するフローチャートである。
【図２２】図２０の録画予約投入処理のうちの優先Ch予約投入処理の詳細例を説明するフローチャートである。
【図２３】録画予約投入の結果の確認用の画像例が表示された録画パターンビューの例を示す図である。
【図２４】録画予約投入の結果の確認用の画像例が表示された録画パターンビューの例を示す図である。
【図２５】録画予約投入の結果の確認用の画像例が表示された録画パターンビューの例を示す図である。
【図２６】録画予約投入の結果の確認用の画像例が表示された録画パターンビューの例を示す図である。
【図２７】録画予約投入の結果の確認用の画像例が表示された録画パターンビューの例を示す図である。
【図２８】パターン予約表示処理の例を説明するフローチャートである。
【図２９】個別予約表示処理の例を説明するフローチャートである。
【図３０】おまかせ予約表示処理の例を説明するフローチャートである。
【図３１】録画処理の例を説明するフローチャートである。
【図３２】Infoランプ点灯後の予約投入処理の例を説明するフローチャートである。
【図３３】本発明が適用されるプログラムを実行するパーソナルコンピュータの構成例を示すブロック図である。
【符号の説明】
【０４２８】
１  録画再生装置，  ２  パーソナルコンピュータ，  ３  サービス提供サーバ，  ４  ネットワーク，  ５  テレビジョン受像機，  ６  リモートコントローラ，  ７  アンテナ，  ８  携帯端末，  １１−１乃至１１−８  チューナ部，  １２  エンコード部，  １３  HDD，  １４  録画制御部，  １５  通信部，  １６  EPG取得部，  １７  再生制御部，  １８  デコード部，  １９  通信部，  ２０  Infoランプ，  ３１  主制御部，  ３２  操作部，  ３３  通信部，  ３４  HDD，  ３５  通信部，  ３６  録画制御部，  ３７  再生制御部，  ３８  再生部，  ７０１  CPU，  ７０２  ROM，  ７０８  記憶部，  ７１１  リムーバブルメディア
【図１】
0004569438.tif 000002
【図２】
0004569438.tif 000003
【図３】
0004569438.tif 000004
【図４】
0004569438.tif 000005
【図５】
0004569438.tif 000006
【図６】
0004569438.tif 000007
【図７】
0004569438.tif 000008
【図８】
0004569438.tif 000009
【図９】
0004569438.tif 000010
【図１０】
0004569438.tif 000011
【図１１】
0004569438.tif 000012
【図１２】
0004569438.tif 000013
【図１３】
0004569438.tif 000014
【図１４】
0004569438.tif 000015
【図１５】
0004569438.tif 000016
【図１６】
0004569438.tif 000017
【図１７】
0004569438.tif 000018
【図１８】
0004569438.tif 000019
【図１９】
0004569438.tif 000020
【図２０】
0004569438.tif 000021
【図２１】
0004569438.tif 000022
【図２２】
0004569438.tif 000023
【図２３】
0004569438.tif 000024
【図２４】
0004569438.tif 000025
【図２５】
0004569438.tif 000026
【図２６】
0004569438.tif 000027
【図２７】
0004569438.tif 000028
【図２８】
0004569438.tif 000029
【図２９】
0004569438.tif 000030
【図３０】
0004569438.tif 000031
【図３１】
0004569438.tif 000032
【図３２】
0004569438.tif 000033
【図３３】
0004569438.tif 000034